(57)【要約】【課題】検体中に含まれている共存物質等の粒子の影響を受けることなく測定を行い、特に全血測定をも可能にする。また一つの反応系で複数項目を同時に反応させ、同時に複数の項目を免疫測定する。【解決手段】本発明は、測定対象物質に対する抗体又は抗原が感作された担体粒子と、検体と、を混和して調製した試料中の粒子から２以上の光学的情報を検出する。検出された第一の光学的情報に基づき、担体粒子と検体中の粒子とを弁別し、第二の光学的情報に基づき、担体粒子の凝集度を求め、求めた凝集度に基づき測定対象物質を検出する。また同時に複数の項目を測定する場合には、複数種類の担体粒子と、検体と、を混和して調整した試料中の粒子から２以上の光学的情報を検出する。検出された第一の光学的情報に基づき、第一の担体粒子と第二の担体粒子とを弁別し、第二の光学的情報に基づき、第一・第二各担体粒子の凝集度を求め、求められたそれぞれの凝集度に基づき第一の測定対象物質及び第二の測定対象物質を検出する。【選択図】　図１６
2004045395.tif 000002
【特許請求の範囲】
【請求項１】
測定対象物質及び測定対象物質以外の粒子を含む検体と、測定対象物質に対する抗体又は抗原が感作された担体粒子と、を混和して試料を調製する工程と、
前記工程にて調製された試料中の粒子から第一、第二の光学的情報を検出する工程と、
前記工程にて検出された第一の光学的情報に基づき、担体粒子と、検体中の測定対象物質以外の粒子と、を弁別し、第二の光学的情報に基づき、担体粒子の凝集度を求める工程と、
前記工程にて求められた担体粒子の凝集度に基づき、測定対象物質を検出する工程と、
を有する免疫測定方法。
【請求項２】
第一及び第二の測定対象物質を含む検体と、第一の測定対象物質に対する抗体又は抗原が感作された第一の担体粒子と、第二の測定対象物質に対する抗体又は抗原が感作された第二の担体粒子と、を混和して試料を調製する工程と、
前記工程にて調製された試料中の粒子から第一、第二の光学的情報を検出する工程と、
前記工程にて検出された第一の光学的情報に基づき第一の担体粒子と第二の担体粒子とを弁別し、第二の光学的情報に基づき第一の担体粒子の凝集度及び第二の担体粒子の凝集度を求める工程と、
前記工程にて求められたそれぞれの凝集度に基づき、第一の測定対象物質及び第二の測定対象物質を検出する工程と、
を有する免疫測定方法。
【請求項３】
請求項２に記載の免疫測定方法において、検体は測定対象物質以外の粒子を含み、第一の光学的情報に基づき第一の担体粒子と第二の担体粒子と検体中の測定対象物質以外の粒子とを弁別することを特徴とする免疫測定方法。
【請求項４】
前記検体が全血であり、前記検体中の測定対象物質以外の粒子が赤血球又は血小板である請求項１又は３記載の免疫測定方法。
【請求項５】
前記第一の光学的情報が蛍光、化学発光又は吸光度であることを特徴とする請求項１又は２に記載の免疫測定方法。
【請求項６】
前記第二の光学的情報が散乱光であることを特徴とする請求項１又は２記載の免疫測定方法。
【請求項７】
測定対象物質及び測定対象物質以外の粒子を含む検体と、測定対象物質に対する抗体又は抗原が感作された担体粒子と、を混和して調製された試料中の粒子から、第一、第二の光学的情報を検出する光検出部と、
光検出部が検出した光学的情報を解析する解析部と、を有する免疫測定装置であり、
解析部は、光検出部が検出した第一の光学的情報に基づき担体粒子と検体中の測定対象物以外の粒子とを弁別し、光検出部が検出した第二の光学的情報に基づき担体粒子の凝集度を求めることを特徴とする、免疫測定装置。
【請求項８】
第一及び第二の測定対象物質を含む検体と、第一の測定対象物質に対する抗体又は抗原が感作された第一の担体粒子と、第二の測定対象物質に対する抗体又は抗原が感作された第二の担体粒子と、を混和して調製された試料中の粒子から、第一、第二の光学的情報を検出する光検出部と、
光検出部が検出した光学的情報を解析する解析部と、を有する免疫測定装置であり、
解析部は、光検出部が検出した第一の光学的情報に基づき第一の担体粒子と第二の担体粒子とを弁別し、光検出部が検出した第二の光学的情報に基づき第一の担体粒子の凝集度と第二の担体粒子の凝集度とを求めることを特徴とする、免疫測定装置。
【請求項９】
請求項１に記載の免疫測定方法に用いられる担体粒子を含むことを特徴とする、免疫測定用試薬。
【請求項１０】
請求項２に記載の免疫測定方法に用いられる第一の担体粒子及び第二の担体粒子を含むことを特徴とする、免疫測定用試薬。
【請求項１１】
第一の測定対象物質に対する抗体又は抗原が感作された第一の担体粒子と、第二の測定対象物質に対する抗体又は抗原が感作された第二の担体粒子と、を含む免疫測定用試薬であって、第一の担体粒子と第二の担体粒子は互いに異なる濃度の蛍光色素を含有することを特徴とする、免疫測定用試薬。
【請求項１２】
測定対象物質及び測定対象物質以外の粒子を含む検体と、測定対象物質に対する抗体又は抗原が感作された担体粒子と、を混和して試料を調製する試料調製工程と、
前記試料調製工程にて調製された試料中に含まれる各粒子の物理特性を検出する物理特性検出工程と、
前記試料調製工程にて調製された試料中に含まれる担体粒子の凝集度を検出する凝集度検出工程と、
検出された前記試料中の各粒子の物理特性と担体粒子の凝集度に基づき、測定対象物質が検体中に存在しているかどうかを分析する分析工程と、を有する免疫測定方法であって、
前記測定対象物質と測定対象物質以外の粒子はそれぞれ異なる物理特性を有し、上記担体粒子は測定対象物質が検体中に存在するとき凝集する、免疫測定方法。
【請求項１３】
複数種類の測定対象物質を含む検体と、それぞれの測定対象物質に対する抗体又は抗原が感作された複数種類の担体粒子と、を混和して試料を調製する試料調製工程と、
前記試料調製工程にて調製された試料中の各粒子の物理特性を検出する物理特性検出工程と、
前記試料調製工程にて調製された試料中の各担体粒子の凝集度を検出する凝集度検出工程と、
検出された担体粒子の物理特性と凝集度に基づき、測定対象物質が検体中に存在しているかどうかを分析する分析工程と、を有する免疫測定方法であって、
前記複数の測定対象物質は、それぞれ異なる物理特性を有し、前記複数種類の担体粒子は、対応する測定対象物質が検体中に存在するとき凝集する、免疫測定方法。
【請求項１４】
測定対象物質及び測定対象物質以外の粒子を含む検体と、測定対象物質に対する抗体又は抗原が感作された担体粒子と、を混和して試料を調製する試料調製手段と、
前記試料調製手段にて調製された試料中に含まれる各粒子の物理特性を検出する物理特性検出手段と、
前記試料調製手段にて調製された試料中に含まれる担体粒子の凝集度を検出する凝集度検出手段と、
検出された前記試料中の各粒子の物理特性と担体粒子の凝集度に基づき、測定対象物質が検体中に存在しているかどうかを分析する分析手段と、を有する免疫測定装置であって、
前記測定対象物質と測定対象物質以外の粒子はそれぞれ異なる物理特性を有し、上記担体粒子は測定対象物質が検体中に存在するとき凝集する、免疫測定装置。
【請求項１５】
複数種類の測定対象物質を含む検体と、それぞれの測定対象物質に対する抗体又は抗原が感作された複数種類の担体粒子と、を混和して試料を調製する試料調製手段と、
前記試料調製手段にて調製された試料中の各粒子の物理特性を検出する物理特性検出手段と、
前記試料調製手段にて調製された試料中の各担体粒子の凝集度を検出する凝集度検出手段と、
検出された担体粒子の物理特性と凝集度に基づき、測定対象物質が検体中に存在しているかどうかを分析する分析手段と、を有する免疫測定装置であって、
前記複数の測定対象物質は、それぞれ異なる物理特性を有し、前記複数種類の担体粒子は、対応する測定対象物質が検体中に存在するとき凝集する、免疫測定装置。
【発明の詳細な説明】
【０００１】
【発明の属する技術分野】
本発明は血液、尿、腹水などの検体に含まれる物質に対する抗原又は抗体を感作した担体粒子の粒子凝集を用いた免疫測定方法、免疫測定装置、及び免疫測定用試薬に関するものである。
【０００２】
【従来の技術】
抗原抗体反応を利用して、血液等の検体から特定の物質を検出する免疫測定方法が、臨床検査の分野で広く用いられている。そのような方法としては、ラジオイムノアッセイ（ＲＩＡ）、エンザイムイムノアッセイ（ＥＩＡ）、フルオロイムノアッセイ（ＦＩＡ）、粒子凝集法、等の様々な方法が知られている。粒子凝集法では、測定対象物を含むと思われる検体と、測定対象物に対応する抗体又は抗原を感作した担体粒子とを混和する。検体中に測定対象物が存在すると、抗原抗体反応により担体粒子が凝集するので、その凝集を光学的に検出する。
【０００３】
免疫検査の検体は、全血から血球を除去した血清又は血漿が一般的に用いられているが、除去されなかった赤血球、脂肪粒子、細菌などの粒子が含まれていると、担体粒子凝集の光学的検出に影響を与える。また全血には大量の赤血球が含まれており、全血を検体として用いると、担体粒子凝集の光学的検出に影響を与える。しかし、緊急検査等では血球除去の工程が不要な、全血を検体として用いる測定が望まれている。
【０００４】
全血を用いることが可能な、粒子凝集法による免疫測定方法としては、赤血球と大きさの異なる担体粒子を用いたカウンティングイムノアッセイによる免疫測定方法がある（例えば、特許文献１を参照）。但しこの方法を用いる場合は、担体粒子を選択する際に、赤血球と大きさが重ならないものを選択する必要がある。
【０００５】
一方、免疫検査の測定項目として感染症、腫瘍関連物質、ホルモン等多様な項目が測定されている。免疫検査に用いられる自動分析装置は、検体を測定項目数に応じて複数の反応容器に分取して、各測定項目に応じた試薬をそれぞれ分注し、所定の反応処理をそれぞれ施し、各反応試料をそれぞれ測定するような多項目自動分析装置が一般的となっている。このような多項目自動分析装置は、多くの測定試薬のセット部や反応容器を備えなければならず、機器の大型化、複雑化が伴っていた。そして、検査に用いられる検体量も測定項目が増えるに応じて必要量が多くなり、患者負担の一因となっていた。そこで一つの試料から複数の項目を同時に測定するための免疫測定方法が望まれている。そのような免疫測定方法としては、複数種類の抗体のそれぞれを粒径の異なるラテックス等の担体に感作した試薬と、標識物質で標識した標識抗体と、検体とを、抗体感作担体−測定対象の抗原−標識抗体の免疫複合体となるように反応させ、粒子の粒径と標識物質の情報を求めて、標識情報のある粒子を粒径によって測定項目別に分析する方法がある（例えば、特許文献２参照）。
【０００６】
しかし、上記方法の反応過程で、各担体が一つずつ免疫複合体を形成するわけではなく、測定対象の抗原が複数の担体の抗体と反応して担体の凝集が起こる。またラテックス粒子は、その表面荷電の影響などにより凝集を起こす。いずれの原因であれ担体が凝集すると、その担体の見かけ上の粒径は大きくなり、粒径による測定項目の弁別ができなくなってしまう。また抗原を検出するための試薬として、抗原に対応する抗体を感作した担体粒子の他に、標識物質で標識した抗体が必要となる。
【０００７】
【特許文献１】
国際公開第０１／９６８６８号パンフレット
【特許文献２】
特公平５−８８４２３号公報
【０００８】
【発明が解決しようとする課題】
本発明の解決課題は、粒子凝集法を用いた免疫測定において、検体中に測定対象物質以外の粒子が含まれていてもその影響を受けることなく、また使用する担体粒子を選択する際に、大きさの観点で自由度が高い免疫測定方法、装置、及び試薬を提供することである。
【０００９】
また本発明の解決課題は、一つの試料から複数の項目を同時に測定することができ、また標識抗体を必要とせずに測定できる免疫測定方法、装置、及び試薬を提供することである。
【００１０】
【課題を解決するための手段】
上記課題に鑑み本発明は、測定対象物質及び測定対象物質以外の粒子を含む検体と、測定対象物質に対する抗体又は抗原が感作された担体粒子と、を混和して試料を調製する工程と、前記工程にて調製された試料中の粒子から第一、第二の光学的情報を検出する工程と、前記工程にて検出された第一の光学的情報に基づき、担体粒子と、検体中の測定対象物質以外の粒子と、を弁別し、第二の光学的情報に基づき、担体粒子の凝集度を求める工程と、前記工程にて求められた担体粒子の凝集度に基づき、測定対象物質を検出する工程と、を有する免疫測定方法を提供する。
【００１１】
また本発明は、第一及び第二の測定対象物質を含む検体と、第一の測定対象物質に対する抗体又は抗原が感作された第一の担体粒子と、第二の測定対象物質に対する抗体又は抗原が感作された第二の担体粒子と、を混和して試料を調製する工程と、前記工程にて調製された試料中の粒子から第一、第二の光学的情報を検出する工程と、前記工程にて検出された第一の光学的情報に基づき第一の担体粒子と第二の担体粒子とを弁別し、第二の光学的情報に基づき第一の担体粒子の凝集度及び第二の担体粒子の凝集度を求める工程と、前記工程にて求められたそれぞれの凝集度に基づき、第一の測定対象物質及び第二の測定対象物質を検出する工程と、を有する免疫測定方法を提供する。
【００１２】
また本発明は、測定対象物質及び測定対象物質以外の粒子を含む検体と、測定対象物質に対する抗体又は抗原が感作された担体粒子と、を混和して調製された試料中の粒子から、第一、第二の光学的情報を検出する光検出部と、光検出部が検出した光学的情報を解析する解析部と、を有する免疫測定装置であり、解析部は、光検出部が検出した第一の光学的情報に基づき担体粒子と検体中の測定対象物以外の粒子とを弁別し、光検出部が検出した第二の光学的情報に基づき担体粒子の凝集度を求めることを特徴とする、免疫測定装置を提供する。
【００１３】
また本発明は、第一及び第二の測定対象物質を含む検体と、第一の測定対象物質に対する抗体又は抗原が感作された第一の担体粒子と、第二の測定対象物質に対する抗体又は抗原が感作された第二の担体粒子と、を混和して調製された試料中の粒子から、第一、第二の光学的情報を検出する光検出部と、光検出部が検出した光学的情報を解析する解析部と、を有する免疫測定装置であり、解析部は、光検出部が検出した第一の光学的情報に基づき第一の担体粒子と第二の担体粒子とを弁別し、光検出部が検出した第二の光学的情報に基づき第一の担体粒子の凝集度と第二の担体粒子の凝集度とを求めることを特徴とする、免疫測定装置を提供する。
【００１４】
また本発明は、第一の測定対象物質に対する抗体又は抗原が感作された第一の担体粒子と、第二の測定対象物質に対する抗体又は抗原が感作された第二の担体粒子と、を含む免疫測定用試薬であって、第一の担体粒子と第二の担体粒子は互いに異なる濃度の蛍光色素を含有することを特徴とする、免疫測定用試薬を提供する。
【００１５】
また本発明は、測定対象物質及び測定対象物質以外の粒子を含む検体と、測定対象物質に対する抗体又は抗原が感作された担体粒子と、を混和して試料を調製する試料調製工程と、前記試料調製工程にて調製された試料中に含まれる各粒子の物理特性を検出する物理特性検出工程と、前記試料調製工程にて調製された試料中に含まれる担体粒子の凝集度を検出する凝集度検出工程と、検出された前記試料中の各粒子の物理特性と担体粒子の凝集度に基づき、測定対象物質が検体中に存在しているかどうかを分析する分析工程と、を有する免疫測定方法であって、前記測定対象物質と測定対象物質以外の粒子はそれぞれ異なる物理特性を有し、上記担体粒子は測定対象物質が検体中に存在するとき凝集する、免疫測定方法を提供する。
【００１６】
また本発明は、複数種類の測定対象物質を含む検体と、それぞれの測定対象物質に対する抗体又は抗原が感作された複数種類の担体粒子と、を混和して試料を調製する試料調製工程と、前記試料調製工程にて調製された試料中の各粒子の物理特性を検出する物理特性検出工程と、前記試料調製工程にて調製された試料中の各担体粒子の凝集度を検出する凝集度検出工程と、検出された担体粒子の物理特性と凝集度に基づき、測定対象物質が検体中に存在しているかどうかを分析する分析工程と、を有する免疫測定方法であって、前記複数の測定対象物質は、それぞれ異なる物理特性を有し、前記複数種類の担体粒子は、対応する測定対象物質が検体中に存在するとき凝集する、免疫測定方法を提供する。
【００１７】
また本発明は、測定対象物質及び測定対象物質以外の粒子を含む検体と、測定対象物質に対する抗体又は抗原が感作された担体粒子と、を混和して試料を調製する試料調製手段と、前記試料調製手段にて調製された試料中に含まれる各粒子の物理特性を検出する物理特性検出手段と、前記試料調製手段にて調製された試料中に含まれる担体粒子の凝集度を検出する凝集度検出手段と、検出された前記試料中の各粒子の物理特性と担体粒子の凝集度に基づき、測定対象物質が検体中に存在しているかどうかを分析する分析手段と、を有する免疫測定装置であって、前記測定対象物質と測定対象物質以外の粒子はそれぞれ異なる物理特性を有し、上記担体粒子は測定対象物質が検体中に存在するとき凝集する、免疫測定装置を提供する。
【００１８】
また本発明は、複数種類の測定対象物質を含む検体と、それぞれの測定対象物質に対する抗体又は抗原が感作された複数種類の担体粒子と、を混和して試料を調製する試料調製手段と、前記試料調製手段にて調製された試料中の各粒子の物理特性を検出する物理特性検出手段と、前記試料調製手段にて調製された試料中の各担体粒子の凝集度を検出する凝集度検出手段と、検出された担体粒子の物理特性と凝集度に基づき、測定対象物質が検体中に存在しているかどうかを分析する分析手段と、を有する免疫測定装置であって、前記複数の測定対象物質は、それぞれ異なる物理特性を有し、前記複数種類の担体粒子は、対応する測定対象物質が検体中に存在するとき凝集する、免疫測定装置を提供する。
【００１９】
【発明の実施の形態】
本発明における免疫測定方法はいわゆる粒子凝集法を用いるものである。担体粒子には、粒子凝集法で一般的に用いられているもの、例えばラテックス粒子、ポリスチレン粒子、磁性粒子、ガラス粒子、デンドリマーなどを用いることができる。
【００２０】
担体粒子に感作する抗原又は抗体には、測定対象物質が抗体であれば該抗体と特異的に抗原抗体反応する抗原が用いられ、測定対象物質が抗原であれば該抗原と特異的に抗原抗体反応する抗体が用いられる。例えば測定項目がＣＥＡ抗原（癌胎児性抗原）であれば抗ＣＥＡ抗体が感作さる。測定項目が抗ＨＢｓ抗体であればＨＢｓ抗原が感作される。
【００２１】
本発明では、担体粒子から物理的特性を検出する。検出した物理特性に基づき、担体粒子と、検体中に含まれる測定対象物質以外の粒子とを弁別する。複数の測定対象物質を検出するために担体粒子を複数種類用いる場合、担体粒子から検出した物理特性により、各種類の担体粒子同士も弁別される。上記物理的特性としては、前方散乱光、側方散乱光、蛍光、吸光度、燐光、化学発光、生物発光などの光学的情報がある。このような光学的情報を検出する装置としては、いわゆるフローサイトメータを利用できる。この装置はフローセルに担体粒子を含む試料を流し、そこへレーザ光を照射して、担体粒子がレーザ光を横切る際に生じる蛍光や前方散乱光を、光電変換素子によって受光・光電変換し、各粒子から検出される蛍光強度や前方散乱光強度や側方散乱光強度といった光学的情報を検出する。また電圧を印加した細孔に粒子を通過させ、粒子が細孔を通過する際に生じる電圧の変化を、物理的特性として利用できる。本発明では、上記のような物理的特性を各粒子から複数検出し、それらを組み合わせて粒子の弁別や、凝集度の検出を行う。
【００２２】
複数の物理的特性として、複数の光学的情報を用いる場合、第一の光学的情報に基づき、担体粒子と検体中の他の粒子とを弁別する。担体粒子には、蛍光色素、色素、発光基質等が適宜含有される。そのため、第一の光学的情報として蛍光、吸光度、燐光、化学発光、生物発光等を用いることにより、担体粒子からは高い信号強度が生じる。検体中の赤血球、血小板、カイロミクロン等、測定対象物質以外の粒子は、蛍光、吸光度、燐光、化学発光、生物発光等の強度が低いので、第一の光学的情報によって担体粒子と弁別される。このように本発明では、粒子の大きさを反映した物理特性を用いずに、粒子の弁別を行うため、担体粒子の大きさを選択する際、制限が少ないというメリットがある。例えば、血小板を含む検体を用いて免疫測定する際に、血小板と同程度の大きさの担体粒子を用いても、担体粒子から検出される蛍光等の物理特性により担体粒子と血小板を弁別することができる。このとき、担体粒子自体の物理的特性を検出するため、別途標識抗体等を用いる必要がない。
【００２３】
第二の光学的情報は、担体粒子の凝集度検出に用いる。担体粒子の凝集度とは、抗原抗体反応に基づく粒子凝集の度合いをいう。第二の光学的情報として、担体粒子の見かけ上の大きさを反映するような情報、例えば前方散乱光を用いれば、未凝集の担体粒子や凝集した担体粒子の識別ができ、担体粒子の凝集度を求められる。なお、担体粒子としてラテックス粒子のような均一な球形粒子を用いれば、側方散乱光も同様に担体粒子の大きさを反映する情報として用いることができる。この凝集度としては、以下の方法で求めた凝集率を用いることができる。フローサイトメータで粒子それぞれの散乱光強度を求める。
それぞれの粒子の散乱光強度によって、未凝集の単独粒子と、複数の担体粒子が凝集して生じた凝集粒子とを弁別して、単独粒子数（Ｍ）と凝集粒子数（Ｐ）を計数する。
ＭとＰの合計である総粒子数（Ｔ）を得、Ｐ／Ｔを凝集率として算出する。
【００２４】
この方法では２個の担体粒子が凝集した段階で反応を捉えることができるため、非常に高感度な免疫測定が可能となる。この凝集度測定は測定対象物質の測定濃度範囲に応じて、各種の方法、例えば一定数以上凝集した粒子の度合いを測定する方法などを用いることができる。
【００２５】
本発明の測定例であるスキャッタグラムの一例を図１に示す。担体粒子として蛍光色素を含有させたラテックス粒子を血液検体に混和して試料液とした。フローサイトメータを用い、試料液から蛍光強度と前方散乱光強度を光学的情報として検出した。検出した光学的情報のうち、蛍光強度を縦軸に、前方散乱光強度を横軸にとって図１のスキャッタグラムを作成した。担体粒子は、未凝集の単独粒子１１、二個の担体粒子が凝集して生じた二個凝集粒子１２、三個の担体粒子が凝集して生じた三個凝集粒子１３というように、凝集の仕方によって前方散乱光強度が異なり、それぞれの集団に分離してスキャッタグラムに出現する。検体中の測定対象物質以外の粒子として、カイロミクロン１４、赤血球１５が出現するが、いずれも蛍光強度が低く、担体粒子と弁別することができる。
【００２６】
各担体粒子を囲むようにスキャッタグラム上で領域を設定し、設定した領域Ｇ１内に出現している担体粒子の粒度分布の例を、図２のヒストグラムに示す。縦軸に粒子の個数（度数）を、横軸に前方散乱光強度をとっている。前方散乱光強度について閾値を設定することにより、凝集粒子と単独粒子を弁別することができる。
【００２７】
また本発明では、第一の光学的情報に基づき、第一の担体粒子と第二の担体粒子とを弁別する。第一の担体粒子と第二の担体粒子とには蛍光色素、色素、発光基質等を含有させるが、その種類や含有濃度を適宜選択し、第一の担体粒子と第二の担体粒子が区別されるようにする。第一の光学的情報として蛍光、吸光度、燐光、化学発光、生物発光等を用いることにより、第一の担体粒子と第二の担体粒子とが弁別される。
【００２８】
本発明の測定例であるスキャッタグラムの一例を図３に示す。蛍光色素を異なる濃度含有させた二種類のラテックス粒子を用い、それぞれ第一の担体粒子、第二の担体粒子とした。第一の担体粒子と第二の担体粒子とを検体に同時に反応させて試料液とし、フローサイトメータで蛍光強度と前方散乱光強度を光学的情報として検出した。検出した光学的情報のうち、蛍光強度を縦軸に、前方散乱光強度を横軸にとって図３のスキャッタグラムを作成した。
【００２９】
第一の担体粒子（３１、３２、３３）と第二の担体粒子（３４、３５、３６）は、含有する蛍光色素濃度の違いにより異なる蛍光強度を示し、スキャッタグラム上で異なる位置に出現する。このため、第一の担体粒子と第二の担体粒子をスキャッタグラム上で弁別することが可能である。また各担体粒子においては、未凝集の単独粒子、二個の担体粒子が凝集して生じた二個凝集粒子、三個の担体粒子が凝集して生じた三個凝集粒子が、前方散乱光強度の違いによりスキャッタグラム上の異なる位置にそれぞれ集団となって出現する。図中、第一の担体粒子の単独粒子３１、第一の担体粒子の二個凝集粒子３２、第一の担体粒子の三個凝集粒子３３は、前方散乱光強度の違いからそれぞれの集団に分離して出現する。同様に、第二の担体粒子の単独粒子３４、第二の担体粒子の二個凝集粒子３５、第二の担体粒子の三個凝集粒子３６も、前方散乱光強度の違いからそれぞれの集団に分離して出現する。
【００３０】
ここで第一・第二の担体粒子それぞれを囲むようにスキャッタグラム上で領域を設定し、各領域内に出現した担体粒子の粒度分布を表わすヒストグラムを作成する。図４は、第一の担体粒子の領域Ｇ３１内に出現した担体粒子の前方散乱光強度をもとに作成したヒストグラムの一例であり、縦軸に度数（粒子の個数）を、横軸に前方散乱光強度をとったものである。前方散乱光強度について閾値を設定することにより、凝集粒子と単独粒子を弁別することができる。
【００３１】
以下、本発明の実施例につき説明する。しかし本発明がこの実施例に限定されるわけではない。
【００３２】
担体粒子としては、レーザ光で励起可能な蛍光色素を所定濃度含有させたラテックス粒子（以下、「蛍光ラテックス粒子」という）を用いた。そして、担体粒子に、検出対象物質である抗原（又は抗体）に対応する抗体（又は抗原）を感作して、蛍光ラテックス試薬とした。測定対象物質である抗原（又は抗体）を含有する検体と、蛍光ラテックス試薬と、反応緩衝液を混合して測定用の試料液を調製し、試料液から前方散乱光及び蛍光を検出した。そして検出した前方散乱光信号及び蛍光信号をパラメータとした二次元スキャッタグラムを作成し、解析することで検体中の測定対象物質を検出した。
【００３３】
１．装置
本実施例では、市販のフローサイトメータであるＦＡＣＳＣａｌｉｂｕｒ（ベクトン・ディッキンソン社製）と、本発明者が作製した自動免疫測定装置を使用した。ＦＡＣＳＣａｌｉｂｕｒを使用する際は、予め手作業で検体と試薬を混合・インキュベートして試料液を調製する必要がある。調製した試料液をセットして測定動作を実行すると、試料液から前方散乱光及び蛍光の検出、二次元スキャッタグラムの作成を行う。一方、本発明者が作製した自動免疫測定装置は、自動的に試料液を調製する機能を有しており、試料液の調製から前方散乱光及び蛍光の検出、二次元スキャッタグラムの作成、解析に至る工程を自動的に行う。
【００３４】
本発明者が作製した自動免疫測定装置について説明する。この装置は一つの検体に対し４項目の免疫測定を同時に行うものであり、装置上で用いられる蛍光ラテックス試薬は、測定項目に応じた４種類の蛍光ラテックス粒子を含んでいる。４種類の蛍光ラテックス粒子は、種類毎に互いに異なった濃度の蛍光色素を含有し、また種類毎に測定項目に応じた抗体（又は抗原）が感作してある。この蛍光ラテックス試薬の詳細は後述する。図５は自動免疫測定装置１００の外観を示したものである。装置の前面には、各種設定入力を行ったり、また測定結果を表示出力するための液晶タッチパネル１０１、後述する試料調製部２００を覆うカバー１０２、スタートスイッチ１０３を備えている。図６は自動免疫測定装置１００の内部構成を示したものである。装置の右側のスペースには、装置の動作や解析処理を司る制御部４００が備えられている。装置の左下のスペースには、試料液から信号を検出するための光検出部３００が備えられている。また残りのスペースに、試料液を調製するための試料調製部２００が備えられている。
【００３５】
以下、試料調製部２００、光検出部３００、制御部４００の各部について説明する。
試料調製部２００の構成
図７は試料調製部２００を示す説明図である。試料調製部２００は、手前右側に検体セット部２２１、手前左側に試薬セット部２２２、奥側にインキュベータ２２３、を備えている。また上下左右に移動可能な分注装置２２４を備えている。前記図６のカバー１０２を開けることにより、図７に示した試料調製部２００が現れ、操作者は以下に説明する各種容器をセットするよう構成されている。検体セット部２２１には、検体の入った検体容器２２５を、インキュベータ２２３に反応容器２２６をセットするよう構成されている。また試薬セット部２２２には、蛍光ラテックス試薬の入った試薬容器２２７、反応緩衝液が入った試薬容器２３１をセットするよう構成されている。インキュベータ２２３は、セットされた反応容器２２６の中の液体を、所定の温度に保ちながら振盪撹拌するよう構成されている。分注装置２２４は、その先端から所定量の液体を吸引・吐出するようになっており、また図示しない駆動装置によって上下左右に移動可能に構成されている。試料容器２３３は、後述する光検出部３００のフローセル３０１と接続されている。
【００３６】
光検出部３００の構成
図８は光検出部３００の構成を示す説明図である。光検出部３００は、試料液を流すためのフローセル３０１を有する。フローセル３０１は、レーザ光が照射される部分であり内部流路が細く絞られているオリフィス部３０２、試料液をオリフィス部に向かって上方へ噴射するノズル３０３、シース液供給口３０４、排液口３０５を有する。また光検出部３００は、レーザ光を照射するためのレーザ光源３０６（波長６３５ｎｍのレーザ光を出射する赤色半導体レーザ光源である）、レーザ光源から照射されたレーザ光をシースフローセルへ集光するコンデンサレンズ３０７、粒子が発する前方散乱光を受光して電気信号に変換するフォトダイオード３０８、フォトダイオードへ前方散乱光を集光するためのコレクタレンズ３０９とピンホール３１０、蛍光を受光して電気信号に変換するフォトマルチプライヤチューブ３１１、フォトマルチプライヤチューブへ蛍光を集光するためのコレクタレンズ３１２、フィルタ３１３、ピンホール３１４、フォトダイオード３０８やフォトマルチプライヤチューブ３１１から出力された電気信号を増幅して制御部４００へ出力するアンプ３１５、３１６を有する。
【００３７】
制御部４００の構成
図９は制御部４００の構成、及び制御部４００と装置各部との関係を示すブロック図である。制御部４００は、中央演算装置（ＣＰＵ）やＲＯＭ・ＲＡＭ等の記憶装置を有するマイクロコンピュータ、光検出部３００から送られた信号を処理する回路などを有する。制御部４００は、格納部４４１、解析部４４２、動作制御部４４３としての機能を果たす。格納部４４１は、試料中の粒子から得た信号の解析に関する解析プログラムや、装置各部の動作を制御する制御プログラムを格納している。また光検出部３００で検出された信号のデータや、解析プログラムによる処理結果を記憶する。解析部４４２は、試料液を測定して光検出部３００で検出された信号を処理し、処理後の信号を解析する。解析部４４２での解析結果は、液晶タッチパネル１０１に出力される。動作制御部４４３は、格納部４４１に格納されている制御プログラムに基づき、装置各部の動作を制御する。
【００３８】
装置の動作
図１０は、制御プログラムによる自動免疫測定装置１００の全体制御を示すフローチャートである。操作者がスタートスイッチ１０３を押すと、制御プログラムが起動し、ステップＳ１（試料調製部制御）、ステップＳ２（光検出部制御）、ステップＳ３（解析部制御）が順次実行される。これにより、試料調製部２００、光検出部３００、解析部４４２が制御され、自動免疫測定装置１００の一連の動作が自動的に行われる。上記ステップＳ１、Ｓ２、Ｓ３による装置各部の動作を以下に説明する。
【００３９】
ステップＳ１（試料調製部制御）
試料調製部制御による試料調製部２００の動作を、図７を用いて説明する。まず分注装置２２４が、試薬セット部２２２の試薬容器２３１から反応緩衝液を８０μＬ吸引し、次に検体セット部２２１にセットされている検体容器２２５から検体を１０μＬ吸引する。そして吸引した反応緩衝液と検体を、インキュベータ２２３にセットされている反応容器２２６に分注する。次に分注装置２２４は、試薬セット部２２２の試薬容器２２７から蛍光ラテックス試薬を１０μＬ吸引し、反応容器２２６に分注する。この後インキュベータ２２３が、検体・蛍光ラテックス試薬・反応緩衝液が入った反応容器２２６を、温度４５℃に保ちながら１５分間振盪撹拌することでインキュベートし、試料液を調製する。インキュベート後の試料液を分注装置２２４が吸引し、試料容器２３３に分注する。ここで試料容器２３３には予め希釈液が入っており、分注された試料液が５１倍に希釈される。試料容器２３３中で希釈された試料液は、光検出部３００のフローセル３０１に流される。
【００４０】
ステップＳ２（光検出部制御）
光検出部制御による光検出部３００の動作を、図８を用いて説明する。前記の通り試料容器２３３に試料液が供給されると、図示しないポンプやバルブの動作により試料液がノズル３０３へ導かれる。そして試料液がノズル３０３からフローセル３０１に吐出される。それと同時にシース液が、図示しないシース液容器からシース液供給口３０４を介してフローセル３０１に供給される。これによって試料液は、フローセル３０１内でシース液に包まれ、更にオリフィス部３０２で細く絞られて流れる。試料液の流れを、粒子径と同程度まで絞り込むことにより、試料液に含まれた粒子を一列に整列させてオリフィス部３０２に流すことができる。オリフィス部３０２を流れる試料液に対し、レーザ光源３０６から出射されたレーザ光がコンデンサレンズ３０７で絞られて照射される。レーザ光を受けた試料液中の粒子から発せられた前方散乱光はコレクタレンズ３０９により集光される。そしてピンホール３１０を通過した前方散乱光は、フォトダイオード３０８で受光、光電変換されて前方散乱光信号となる。レーザ光を受けた試料液中の粒子から発せられた蛍光は、コレクタレンズ３１２により集光される。そしてフィルタ３１３、ピンホール３１４を通過した蛍光は、フォトマルチプライヤチューブ３１１で受光、光電変換されて蛍光信号となる。前方散乱光信号及び蛍光信号は、それぞれアンプ３１５・３１６で増幅された後に制御部４００へ送られ、粒子毎のデータとして格納部４４１に記憶される。
【００４１】
ステップＳ３（解析部制御）
解析部制御の詳細について、図１１のフローチャートを用いて説明する。フローチャートの各ステップは以下の通りである。
【００４２】
ステップＳ１１：前方散乱光信号及び蛍光信号のデータを、格納部４４１から読み出す。続いてステップＳ１２へ進む。
ステップＳ１２：前方散乱光信号のピークレベルに基づき前方散乱光強度（Ｆｓｃ）を、蛍光信号のピークレベルに基づき蛍光強度（Ｆｌ）を、各粒子毎に算出する。続いてステップＳ１３へ進む。
ステップＳ１３：ステップＳ１２で算出した粒子毎のＦｓｃ・Ｆｌをパラメータとした二次元スキャッタグラムを作成する。このスキャッタグラムには、測定項目に応じた４種類の蛍光ラテックス粒子がそれぞれ出現すると目される領域が予め設定されている。
ステップＳ１４：二次元スキャッタグラム上に予め設定されていた各領域内に出現した粒子のヒストグラムを作成し、粒度分布を得る。続いてステップＳ１５へ進む。
ステップＳ１５：粒度分布に基づき、各領域内の単独粒子数Ｍと凝集粒子数Ｐ及びその合計Ｔを得、各領域内に出現した粒子の凝集率Ｐ／Ｔを算出する。続いてステップＳ１６へ進む。
ステップＳ１６：前記作成された二次元スキャッタグラム、各領域のヒストグラム及び算出した凝集率Ｐ／Ｔを液晶タッチパネル１０１に出力して表示する。
【００４３】
図１２は、ステップＳ１３で作成されたスキャッタグラム、ステップＳ１４で作成されたヒストグラム、ステップＳ１５で算出された凝集率Ｐ／Ｔを含む画面が、ステップＳ１６で液晶タッチパネル１０１に出力された様子を示す図である。この画面では二次元スキャッタグラムＳｃ１、Ｓｃ２が上下に２つ表示されている。これらは同じ検体から得た同じ測定結果を、表示方法を変えて出力したものである。いずれも横軸に前方散乱光強度（Ｆｓｃ）を、縦軸に蛍光強度（Ｆｌ）をとっているが、二次元スキャッタグラムＳｃ２は、二次元スキャッタグラムＳｃ１の縦軸の値（蛍光強度（Ｆｌ））をｌｏｇ変換して表示したものであるため、蛍光強度（Ｆｌ）の低値部分が高値部分と比べ相対的に拡大されて表示される。そこで蛍光ラテックス試薬に含まれる４種類の蛍光ラテックス粒子のうち、含有する蛍光色素の濃度が高い方の２種類の蛍光ラテックス粒子については、画面の上の方に表示した二次元スキャッタグラムＳｃ１に、各粒子の出現する領域が設定され、表示されている（領域▲１▼・領域▲２▼）。また含有する蛍光色素の濃度が低い方の２種類の蛍光ラテックス粒子については、画面の下の方に表示した二次元スキャッタグラムＳｃ２に、各粒子の出現する領域が設定され、表示されている（領域▲３▼・領域▲４▼）。領域▲１▼は４種類のうち最も蛍光色素の濃度が高い蛍光ラテックス粒子が出現する領域である。領域▲２▼は４種類のうち二番目に蛍光色素の濃度が高い蛍光ラテックス粒子が出現する領域である。領域▲３▼は４種類のうち三番目に蛍光色素の濃度が高い蛍光ラテックス粒子が出現する領域である。領域▲４▼は４種類のうち最も蛍光色素の濃度が低い蛍光ラテックス粒子が出現する領域である。また画面上には、▲１▼〜▲４▼の領域に対応するヒストグラム▲１▼〜▲４▼、及び算出された凝集率が表示されている。
【００４４】
２．試薬の調製
以下、Ｆａｃｓｃａｌｉｂｕｒ及び自動免疫測定装置１００での免疫測定に用いた試薬として、蛍光ラテックス試薬、反応緩衝液、希釈液につき説明する。
【００４５】
蛍光ラテックス試薬
粒子径０．７８μｍで粒子表面がスルフェートのラテックス粒子に、赤色蛍光色素（波長６４０ｎｍのレーザ光で励起可能）を所定濃度含有させた蛍光ラテックス粒子を担体粒子として用いた。そして担体粒子に、検出対象物質である抗原（又は抗体）に対応する抗体（又は抗原）を感作した。ここでは抗ＨＢｓ抗体、ＴＰ抗原、抗ＣＥＡ抗体、抗ＡＦＰ抗体、ＨＣＶ抗原、ＨＩＶ抗原、抗ＦＲＮ抗体、抗ＰＳＡ抗体を、それぞれ異なった蛍光ラテックス粒子に疎水結合によって感作し、そそれらを単独又は一液中に混合させて組み合わせて各種蛍光ラテックス試薬を調製した。各蛍光ラテックス試薬の調製は以下の（１）〜（８）の通りに行った。
【００４６】
（１）ＨＢｓ抗原検出用蛍光ラテックス試薬の調製
ＨＢｓ抗原検出用蛍光ラテックス試薬は、抗ＨＢｓ抗体を蛍光色素濃度１％（ｗ／ｖ）の蛍光ラテックス粒子に感作して調製した。まず抗ＨＢｓ抗体（マウスモノクローナル抗体、市販品）６０μｇを含むＧＴＡ緩衝液（０．５３ｍｇ／ｍＬ　３，３−ジメチルグルタル酸、０．４ｍｇ／ｍＬ　トリス、０．３５ｍｇ／ｍＬ　２−アミノ−２−メチル−１，３−プロパンジオール、ｐＨ４．６）９５０μｌに、蛍光ラテックス粒子１０％（ｗ／ｖ）懸濁液５０μｌを加え、２０℃で２時間静置した。これを１００００×ｇ，　１０分間遠心し、上清を捨て、沈殿に１％（ｗ／ｖ）　牛血清アルブミン（市販品）を含むＧＴＡ緩衝液を１ｍＬ加えて、超音波処理し、分散させた。この遠心から分散までの工程を数回繰り返し、最後に遠心して上清を捨て、沈殿に２２０ｍｇ／ｍＬ　グリセリン、０．３％（ｗ／ｖ）　牛血清アルブミンを含むＧＴＡ緩衝液（ｐＨ６．２）１ｍＬを加えて、超音波処理し、分散させた。これをＨＢｓ抗原検出用蛍光ラテックス試薬とした。
【００４７】
（２）抗ＴＰ抗体検出用蛍光ラテックス試薬の調製
抗ＴＰ抗体を検出するための蛍光ラテックス試薬は、ＴＰ抗原を蛍光色素濃度０．１％（ｗ／ｖ）の蛍光ラテックス粒子に感作して調製した。まずＴＰ抗原（市販品）５０μｇを含む１０ｍＭ　ＰＢＳ、ｐＨ４．０　９５０μｌに、蛍光ラテックス粒子１０％（ｗ／ｖ）懸濁液５０μｌを加え、４℃で２４時間静置した。これを１００００×ｇ、１０分間遠心し、上清を捨て、沈殿に１ｍｇ／ｍＬ　牛血清アルブミンを含む０．１Ｍ　ＰＢＳ緩衝液、ｐＨ７．０を１ｍＬ加えて、超音波処理し、分散させた。この遠心から分散までの工程を数回繰り返し、最後に遠心して上清を捨て、沈殿に１ｍｇ／ｍＬ　牛血清アルブミンを含む０．１Ｍ　ＰＢＳ緩衝液、ｐＨ７．０を１ｍＬ加えて、超音波処理し、分散させた。これを抗ＴＰ抗体検出用蛍光ラテックス試薬とした。
【００４８】
（３）ＡＦＰ抗原検出用蛍光ラテックス試薬の調製
ＡＦＰ抗原検出用蛍光ラテックス試薬は、蛍光色素濃度０．０１％（ｗ／ｖ）の蛍光ラテックス粒子に抗ＡＦＰ抗体を感作して調製した。まず、抗ＡＦＰ抗体（ヤギポリクローナル抗体、市販品）６０μｇを含むＧＴＡ緩衝液（０．５３ｍｇ／ｍＬ　３，３−ジメチルグルタル酸、０．４ｍｇ／ｍＬ　トリス、０．３５ｍｇ／ｍＬ　２−アミノ−２−メチル−１，３−プロパンジオール、　ｐＨ４．６）９５０μｌに、蛍光ラテックス粒子１０％（ｗ／ｖ）懸濁液５０μｌを加え、２０℃で２時間静置した。これを１００００×ｇ，　１０分間遠心し、上清を捨て、沈殿に１％（ｗ／ｖ）　牛血清アルブミン（市販品）を含むＧＴＡ緩衝液を１ｍＬ加えて、超音波処理し分散させた。この遠心から分散までの工程を数回繰り返し、最後に遠心して上清を捨て、沈殿に２２０ｍｇ／ｍＬ　グリセリン、０．３％（ｗ／ｖ）　牛血清アルブミンを含むＧＴＡ緩衝液（ｐＨ６．２）　１ｍＬを加えて、超音波処理し、分散させた。これをＡＦＰ抗原検出用蛍光ラテックス試薬とした。
【００４９】
（４）ＣＥＡ抗原検出用蛍光ラテックス試薬の調製
ＣＥＡ抗原検出用蛍光ラテックス試薬は、抗ＣＥＡ抗体を蛍光色素濃度０．００１％（ｗ／ｖ）の蛍光ラテックス粒子に感作して調製した。抗ＣＥＡ抗体（ウサギポリクローナル抗体、市販品）６０μｇを含むＧＴＡ緩衝液（０．５３ｍｇ／ｍＬ　３，３−ジメチルグルタル酸、０．４ｍｇ／ｍＬ　トリス、０．３５ｍｇ／ｍＬ　２−アミノ−２−メチル−１，３−プロパンジオール、　ｐＨ４．６）９５０μｌに、蛍光ラテックス粒子１０％（ｗ／ｖ）懸濁液５０μｌを加え、２０℃で２時間静置した。これを１００００×ｇ，　１０分間遠心し、上清を捨て、沈殿に１％　牛血清アルブミン（市販品）を含むＧＴＡ緩衝液を１ｍＬ加えて、超音波処理し、分散させた。この遠心から分散までの工程を数回繰り返し、最後に遠心して上清を捨て、沈殿に２２０ｍｇ／ｍＬ　グリセリン、０．３％（ｗ／ｖ）　牛血清アルブミンを含むＧＴＡ緩衝液（ｐＨ６．２）１ｍＬを加えて、超音波処理し、分散させた。これをＣＥＡ抗原検出用蛍光ラテックス試薬とした。
【００５０】
（５）感染症マーカー４項目同時測定用試薬の調製
ＨＢｓ抗原検出用の蛍光ラテックス粒子、抗ＴＰ抗体検出用の蛍光ラテックス粒子、抗ＨＣＶ抗体検出用の蛍光ラテックス粒子、抗ＨＩＶ抗体検出用の蛍光ラテックス粒子を調製し、それらを一液中に混合してＨＢｓ抗原、抗ＴＰ抗体、抗ＨＣＶ抗体、抗ＨＩＶ抗体を同時に検出するための蛍光ラテックス試薬を調製した。
【００５１】
ＨＢｓ抗原検出用蛍光ラテックス試薬、及び抗ＴＰ抗体検出用蛍光ラテックス試薬は、前記（１）、及び（２）で調製したものを用いた。
【００５２】
抗ＨＣＶ抗体検出用の蛍光ラテックス粒子は、ＨＣＶ抗原を蛍光色素濃度３％（ｗ／ｖ）の蛍光ラテックス粒子に感作して調製した。まずＨＣＶ　非構造領域のＮＳ３由来のウイルス蛋白に相当する２種のリコンビナント抗原、ＮＳ４を含む由来のウイルス蛋白に相当する２種の合成ペプチド抗原、及びＮＳ５由来のウイルス蛋白に相当する１種の合成ペプチド抗原、並びに構造領域のｃｏｒｅ由来のウイルス蛋白に相当する３種の合成ペプチド抗原、の８種類の複合抗原を含む１０ｍＭグリシン緩衝液（ｐＨ２．０）９５０μＬに、蛍光ラテックス粒子１０％（ｗ／ｖ）懸濁液５０μｌを加え、３７℃で１時間静置した。これを１００００×ｇ，　１０分間遠心し、上清を捨て、沈殿に２％　牛血清アルブミン（市販品）を含む１．２％（ｗ／ｖ）Ｔｒｉｓ緩衝液（ｐＨ８．０）を１ｍＬ加えて、超音波処理し、分散させ、４５℃で２時間インキュベートしてブロッキング作業を行った。この遠心から分散までの工程を数回繰り返し、最後に遠心して上清を捨て、沈殿に２２０ｍｇ／ｍＬ　グリセリン、０．３％（ｗ／ｖ）　牛血清アルブミンを含む１．２％（ｗ／ｖ）Ｔｒｉｓ緩衝液（ｐＨ８．０）１ｍＬを加えて、超音波処理し、液中に抗ＨＣＶ抗体検出用の蛍光ラテックス粒子を分散させた。
【００５３】
抗ＨＩＶ抗体検出用の蛍光ラテックス粒子は、ＨＩＶ抗原を蛍光色素濃度５％（ｗ／ｖ）の蛍光ラテックス粒子に感作して調製した。まずＨＩＶ−１　ｇａｇ（ｇｒｏｕｐ　ｓｐｅｃｉｆｉｃ　ａｎｔｉｇｅｎ）領域抗原、ＨＩＶ−１　ｅｎｖ（ｅｎｖｅｌｏｐｅ）領域抗原、ＨＩＶ−１　ｐｏｌ（ｐｏｌｙｍｅｒａｓｅ）領域抗原及びＨＩＶ−２　ｅｎｖ（ｅｎｖ）領域抗原を含む１０ｍＭグリシン緩衝液（ｐＨ２．０）９５０μＬに、蛍光ラテックス粒子１０％（ｗ／ｖ）懸濁液５０μｌを加え、３７℃で１時間静置した。これを１００００×ｇ，　１０分間遠心し、上清を捨て、沈殿に２％　牛血清アルブミン（市販品）を含む１．２％（ｗ／ｖ）Ｔｒｉｓ緩衝液（ｐＨ８．０）を１ｍＬ加えて、超音波処理し、分散させ、４５℃で２時間インキュベートしてブロッキング作業を行った。この遠心から分散までの工程を数回繰り返し、最後に遠心して上清を捨て、沈殿に２２０ｍｇ／ｍＬ　グリセリン、０．３％（ｗ／ｖ）　牛血清アルブミンを含む１．２％（ｗ／ｖ）Ｔｒｉｓ緩衝液（ｐＨ８．０）１ｍＬを加えて、超音波処理し、液中に抗ＨＩＶ抗体検出用の蛍光ラテックス粒子を分散させた。
【００５４】
上記調製した抗ＨＣＶ抗体検出用の蛍光ラテックス粒子が分散した液、抗ＨＩＶ抗体検出用の蛍光ラテックス試薬が分散した液、及び前記調製したＨＢｓ抗原検出用蛍光ラテックス試薬と抗ＴＰ抗体検出用蛍光ラテックス試薬を等量ずつ混合し、感染症マーカー４項目同時測定用蛍光ラテックス試薬とした。
【００５５】
（６）腫瘍マーカー４項目同時測定用試薬の調製
ＦＲＮ抗原検出用の蛍光ラテックス粒子、ＣＥＡ抗原検出用の蛍光ラテックス粒子、ＡＦＰ抗原検出用の蛍光ラテックス粒子、ＰＳＡ抗原検出用の蛍光ラテックス粒子を調製し、それらを一液中に混合することにより、ＦＲＮ抗原、ＣＥＡ抗原、ＡＦＰ抗原、ＰＳＡ抗原を同時に検出するための蛍光ラテックス試薬を調製した。
【００５６】
ＦＲＮ抗原検出用の蛍光ラテックス粒子は、抗ＦＲＮ抗体を蛍光色素濃度０．１％（ｗ／ｖ）の蛍光ラテックス粒子に感作して調製した。まず、抗ＦＲＮ抗体（ヤギポリクローナル抗体、市販品）５０μｇを含むＧＴＡ緩衝液（０．５３ｍｇ／ｍＬ　３，３−ジメチルグルタル酸、０．４ｍｇ／ｍＬ　トリス、０．３５ｍｇ／ｍＬ　２−アミノ−２−メチル−１，３−プロパンジオール、　ｐＨ４．６）９５０μｌに、蛍光ラテックス粒子１０％（ｗ／ｖ）懸濁液５０μｌを加え、２０℃で２時間静置した。これを１００００×ｇ，　１０分間遠心し、上清を捨て、沈殿に１％（ｗ／ｖ）　牛血清アルブミン（市販品）を含むＧＴＡ緩衝液を１ｍＬ加えて、超音波処理し分散させた。この遠心から分散までの工程を数回繰り返し、最後に遠心して上清を捨て、沈殿に２２０ｍｇ／ｍＬ　グリセリン、０．３％（ｗ／ｖ）　牛血清アルブミンを含むＧＴＡ緩衝液（ｐＨ６．２）　１ｍＬを加えて、超音波処理し、液中にＦＲＮ抗原検出用の蛍光ラテックス粒子を分散させた。
【００５７】
ＣＥＡ抗原検出用の蛍光ラテックス粒子は、蛍光色素濃度１％（ｗ／ｖ）の蛍光ラテックス粒子に、抗ＣＥＡ抗体を前記（４）のＣＥＡ抗原検出用蛍光ラテックス試薬の調製と同様の手順にて感作し、調製した。
【００５８】
ＡＦＰ抗原検出用の蛍光ラテックス粒子は、蛍光色素濃度３％（ｗ／ｖ）の蛍光ラテックス粒子に、抗ＡＦＰ抗体を前記（３）のＡＦＰ抗原検出用蛍光ラテックス試薬の調製と同様の手順にて感作し、調製した。
【００５９】
ＰＳＡ抗原検出用の蛍光ラテックス試薬は、抗ＰＳＡ抗体を蛍光色素濃度５％（ｗ／ｖ）の蛍光ラテックス粒子に感作して調製した。まず、抗ＰＳＡ抗体（ウサギポリクローナル抗体、市販品）６０μｇを含むＧＴＡ緩衝液（０．５３ｍｇ／ｍＬ　３，３−ジメチルグルタル酸、０．４ｍｇ／ｍＬ　トリス、０．３５ｍｇ／ｍＬ　２−アミノ−２−メチル−１，３−プロパンジオール、　ｐＨ４．６）９５０μｌに、蛍光ラテックス粒子１０％（ｗ／ｖ）懸濁液５０μｌを加え、２０℃で２時間静置した。これを１００００×ｇ，　１０分間遠心し、上清を捨て、沈殿に１％　牛血清アルブミン（市販品）を含むＧＴＡ緩衝液を１ｍＬ加えて、超音波処理し、分散させた。この遠心から分散までの工程を数回繰り返し、最後に遠心して上清を捨て、沈殿に２２０ｍｇ／ｍＬ　グリセリン、０．３％（ｗ／ｖ）　牛血清アルブミンを含むＧＴＡ緩衝液（ｐＨ６．２）１ｍＬを加えて、超音波処理し、液中にＰＳＡ抗原検出用の蛍光ラテックス粒子を分散させた。
【００６０】
上記調製したＦＲＮ抗原検出用の蛍光ラテックス粒子、ＣＥＡ抗原検出用の蛍光ラテックス粒子、ＡＦＰ抗原検出用の蛍光ラテックス粒子、ＰＳＡ抗原検出用の蛍光ラテックス粒子がそれぞれ分散した液を等量ずつ混合し、腫瘍マーカー４項目同時測定用蛍光ラテックス試薬とした。
【００６１】
反応緩衝液
反応緩衝液は以下の通り調製した。１．６ｍｇ／ｍＬ　３，３−ジメチルグルタル酸、１．１ｍｇ／ｍＬ　２−アミノ−２−メチル−１，３−プロパンジオール、１８．１８ｍｇ／ｍＬ　トリス、５％（ｗ／ｖ）　牛血清アルブミン、０．６％（ｗ／ｖ）　デキストラン（市販品）、１５％（ｗ／ｖ）加熱処理牛血清アルブミン、４０％（ｗ／ｖ）ペプシン処理牛血清アルブミン、０．４％（ｗ／ｖ）ＰＶＡ（市販品）　０．１５％（ｗ／ｖ）塩化ナトリウム、０．０４５％（ｗ／ｖ）アジ化ナトリウム、ｐＨ６．０を調製し、蛍光ラテックス試薬と共に測定対象となる検体へ添加するための反応緩衝液とした。
【００６２】
希釈液
自動免疫測定装置１００では、測定に先立ち試料容器２３３に希釈液を所定量入れておく。前記の通り検体を蛍光ラテックス試薬、反応緩衝液と混和・インキュベートして調製した試料液は、試料容器２３３に入れられることによって所定濃度に希釈される。この希釈液としてはクリンシース（シスメックス株式会社製）を用いた。
【００６３】
３．単項目測定
一種類の測定項目に対応した蛍光ラテックス試薬を用い、Ｆａｃｓｃａｌｉｂｕｒにて測定した結果を示す。なお、測定対象とした検体は以下の通り調製した。
【００６４】
検体
ヒト正常全血、及びヒト正常全血にＨＢｓ抗原を６段階の濃度別に添加したもの、を調製し、ＨＢｓ抗原含有検体系列（ＨＢｓ▲１▼〜ＨＢｓ▲７▼）とした。ＨＢｓ抗原含有検体系列における各検体中のＨＢｓ抗原濃度は以下の通りである。
ＨＢｓ▲１▼：０Ｕ／ｍＬ、ＨＢｓ▲２▼：１Ｕ／ｍＬ、ＨＢｓ▲３▼：３Ｕ／ｍＬ、ＨＢｓ▲４▼：９Ｕ／ｍＬ、ＨＢｓ▲５▼：２７Ｕ／ｍＬ、ＨＢｓ▲６▼：８１Ｕ／ｍＬ、ＨＢｓ▲７▼：２４３Ｕ／ｍＬ。
【００６５】
またヒト正常全血、及びヒト正常全血に抗ＴＰ抗体を６段階の濃度別に添加したもの、を調製し、抗ＴＰ抗体含有検体系列（ＴＰ▲１▼〜ＴＰ▲７▼）とした。抗ＴＰ抗体含有検体系列における各検体中の抗ＴＰ抗体濃度は以下の通りである。
ＴＰ▲１▼：０ｍＩＵ、ＴＰ▲２▼：１６．５　ｍＩＵ、ＴＰ▲３▼：４１．２ｍＩＵ、ＴＰ▲４▼：１０３．１ｍＩＵ、ＴＰ▲５▼：２５７．６ｍＩＵ、ＴＰ▲６▼：６４４ｍＩＵ、ＴＰ▲７▼：１６１０ｍＩＵ。
【００６６】
またヒト正常全血、及びヒト正常全血にＡＦＰ抗原を６段階の濃度別に添加したもの、を調製し、ＡＦＰ抗原含有検体系列（ＡＦＰ▲１▼〜ＡＦＰ▲７▼）とした。ＡＦＰ抗原含有検体系列における各検体中のＡＦＰ抗原濃度は以下の通りである。
ＡＦＰ▲１▼：０ｎｇ／ｍＬ、ＡＦＰ▲２▼：２ｎｇ／ｍＬ、ＡＦＰ▲３▼：８ｎｇ／ｍＬ、ＡＦＰ▲４▼：３２ｎｇ／ｍＬ、ＡＦＰ▲５▼：１２８ｎｇ／ｍＬ、ＡＦＰ▲６▼：５１２ｎｇ／ｍＬ、ＡＦＰ▲７▼：２０４８ｎｇ／ｍＬ。
【００６７】
またヒト正常全血、及びヒト正常全血にＣＥＡ抗原を６段階の濃度別に添加したもの、を調製し、ＣＥＡ抗原含有検体系列（ＣＥＡ▲１▼〜ＣＥＡ▲７▼）とした。ＣＥＡ抗原含有検体系列における各検体中のＣＥＡ抗原濃度は以下の通りである。
ＣＥＡ▲１▼：０ｎｇ／ｍＬ、ＣＥＡ▲２▼：０．５ｎｇ／ｍＬ、ＣＥＡ▲３▼：２ｎｇ／ｍＬ、ＣＥＡ▲４▼：８ｎｇ／ｍＬ、ＣＥＡ▲５▼：３２ｎｇ／ｍＬ、ＣＥＡ▲６▼：１２８ｎｇ／ｍＬ、ＣＥＡ▲７▼：５１２ｎｇ／ｍＬ。
【００６８】
またヒト正常全血に対し、ＨＢｓ抗原、抗ＴＰ抗体、ＡＦＰ抗原、ＣＥＡ抗原の４種類の抗原又は抗体をいずれも前記各検体系列の▲４▼と同一濃度となるように調製した検体Ｓ１（つまり検体Ｓ１は、ＨＢｓ抗原を９Ｕ／ｍＬ、抗ＴＰ抗体を１０３．１ｍＩＵ、ＡＦＰ抗原を３２ｎｇ／ｍＬ、ＣＥＡ抗原を８ｎｇ／ｍＬ含有している）と、▲７▼と同一濃度となるように調製した検体Ｓ２（つまり検体Ｓ２は、ＨＢｓ抗原を２４３Ｕ／ｍＬ、抗ＴＰ抗体を１６１０ｍＩＵ、ＡＦＰ抗原を２０４８ｎｇ／ｍＬ、ＣＥＡ抗原を５１２ｎｇ／ｍＬ含有している）を用意した。
【００６９】
測定
上記調製した全２８検体（それぞれ４０μＬ）に、それぞれの検体系列に含まれる測定対象物質に対応する蛍光ラテックス試薬１０μＬと反応緩衝液３５０μＬを４５℃で１５分間インキュベートした後、１０ｍＭ　ＰＢＳ緩衝液で５１倍に希釈して、測定用試料を全２８試料調製した。調製した各試料液を、Ｆａｃｓｃａｌｉｂｕｒにセットし、測定した。
【００７０】
ＦＡＣＳＣａｌｉｂｕｒは赤色半導体レーザ光源から波長６３５ｎｍのレーザを照射し、蛍光ラテックス試薬を含む試料から前方散乱光信号及び側方蛍光信号を検出する機能を有するフローサイトメータである。図１３は、ＦＡＣＳＣａｌｉｂｕｒの検出系を示す模式図である。担体粒子５１を含む試料はフローセル５２に導びかれ、試料流５３を形成する。赤色半導体レーザ光源５４から発せられたレーザ光はフローセル５２中の試料流５３を照射する。そして担体粒子５１がレーザ光の照射領域を横切る際に生じる蛍光はフォトマルチプライヤチューブ５５に、前方散乱光はフォトダイオード５６によってそれぞれ受光・光電変換されて電気信号となり、処理・解析される。このようにして各粒子から蛍光信号や前方散乱光信号が検出され、電気信号処理が行われる。
【００７１】
解析
各試料から検出した前方散乱光信号及び蛍光信号をパラメータとする二次元スキャッタグラムを作成した。図１４は、ＨＢｓ抗原含有検体であるＨＢｓ▲４▼にＨＢｓ抗原検出用蛍光ラテックス試薬を添加した試料を測定して得られた二次元スキャッタグラムであり、縦軸は蛍光強度を、横軸は前方散乱光強度を表わす。前方散乱光強度の違いから、未凝集の単独粒子、二個凝集粒子、三個凝集粒子がそれぞれスキャッタグラム上で集団に分かれて出現している。検体に含まれる血小板は、蛍光強度をほとんど有さないため、出現位置が横軸と重なるほど蛍光強度が低値な位置となり、図１４のスキャッタグラムにおいては明確な集団として表示されなかった。検体中の赤血球も蛍光強度をほとんど有さない。また赤血球は担体粒子の三個凝集粒子より大きい。そのため、図１４のスキャッタグラムにおいては表示範囲からスケールアウトしている。
【００７２】
スキャッタグラム上に出現した担体粒子の各集団を囲むように領域Ｇ６を設定し、領域Ｇ６内の粒子の粒度分布を得た。図１５は、図１４の領域Ｇ６に対応するヒストグラムであり、縦軸は度数（粒子数）を、横軸は前方散乱光強度すなわち粒子の大きさを表わす。このヒストグラムに基づき、単独粒子数Ｍと凝集粒子数Ｐ及びその合計Ｔを得、領域Ｇ６内に出現した粒子の凝集率Ｐ／Ｔを算出した。同様に、ＨＢｓ抗原含有検体系列の他の濃度の検体を用いて調製した試料、及び他の種類の検体系列の各検体を用いて調製した各試料についても凝集率を得た。
【００７３】
ＨＢｓ抗原含有検体系列（ＨＢｓ▲１▼〜▲７▼）の各検体を用いて調製した試料を測定して得たＨＢｓ抗原検出用蛍光ラテックス試薬の粒子の凝集率（Ｐ／Ｔ）を以下の表１に示す。
【００７４】
【表１】
2004045395.tif 000003
【００７５】
また抗ＴＰ抗体含有検体系列（ＴＰ▲１▼〜▲７▼）の各検体を用いて調製した試料を測定して得た抗ＴＰ抗体検出用蛍光ラテックス試薬の粒子の凝集率（Ｐ／Ｔ）を以下の表２に示す。
【００７６】
【表２】
2004045395.tif 000004
【００７７】
またＡＦＰ抗原含有検体系列（ＡＦＰ▲１▼〜▲７▼）の各検体を用いて調製した試料を測定して得たＡＦＰ抗原検出用蛍光ラテックス試薬の粒子の凝集率（Ｐ／Ｔ）を以下の表３に示す。
【００７８】
【表３】
2004045395.tif 000005
【００７９】
またＣＥＡ抗原含有検体系列（ＣＥＡ▲１▼〜▲７▼）の各検体を用いて調製した試料を測定して得たＣＥＡ抗原検出用蛍光ラテックス試薬の粒子の凝集率（Ｐ／Ｔ）を以下の表４に示す。
【００８０】
【表４】
2004045395.tif 000006
【００８１】
上記測定結果よりわかるように、各測定項目において蛍光ラテックス試薬の粒子の凝集率は、試料に含まれる抗原（抗体）の濃度に依存して上昇している。また各測定項目においても、抗原（抗体）が含まれていない検体と抗原（抗体）が含まれている検体とで凝集率の差が得られた。これらのことより、各測定項目において凝集率より検量線を作成し、その検量線に基づき濃度換算することで、各免疫項目の抗原（抗体）濃度を得ることができるといえる。
【００８２】
４．多項目同時測定
一つの検体に対し複数種類の蛍光ラテックス試薬を用い、Ｆａｃｓｃａｌｉｂｕｒにて測定した結果を示す。なお、測定対象とした検体は以下の通り調製した。
【００８３】
検体
検体には、前記単項目測定と同様、ＨＢｓ抗原含有検体ＨＢｓ▲１▼〜ＨＢｓ▲７▼、抗ＴＰ抗体含有検体ＴＰ▲１▼〜ＴＰ▲７▼、ＡＦＰ抗原含有検体ＡＦＰ▲１▼〜ＡＦＰ▲７▼、ＣＥＡ抗原含有検体ＣＥＡ▲１▼〜ＣＥＡ▲７▼、の全２８検体を用いた。また、ヒト正常全血に対し、ＨＢｓ抗原、抗ＴＰ抗体、ＡＦＰ抗原、ＣＥＡ抗原の４種類の抗原又は抗体をいずれも前記各検体系列の▲４▼と同一濃度となるように調製した検体Ｓ１（つまり検体Ｓ１は、ＨＢｓ抗原を９Ｕ／ｍＬ、抗ＴＰ抗体を１０３．１ｍＩＵ、ＡＦＰ抗原を３２ｎｇ／ｍＬ、ＣＥＡ抗原を８ｎｇ／ｍＬ含有している）と、▲７▼と同一濃度となるように調製した検体Ｓ２（つまり検体Ｓ２は、ＨＢｓ抗原を２４３Ｕ／ｍＬ、抗ＴＰ抗体を１６１０ｍＩＵ、ＡＦＰ抗原を２０４８ｎｇ／ｍＬ、ＣＥＡ抗原を５１２ｎｇ／ｍＬ含有している）を用いた。
【００８４】
測定
各検体４０μＬに対し、ＨＢｓ抗原検出用蛍光ラテックス試薬・抗ＴＰ抗体検出用蛍光ラテックス試薬・ＡＦＰ抗原検出用蛍光ラテックス試薬・ＣＥＡ抗原検出用蛍光ラテックス試薬をそれぞれ１０μＬずつ（計４０μＬの蛍光ラテックス試薬）と反応緩衝液３２０μＬを４５℃で１５分間インキュベーションした後、１０ｍＭ　ＰＢＳ緩衝液で５１倍に希釈して測定用試料とした。測定用試料から、前記同様、Ｆａｃｓｃａｌｉｂｕｒを用いて、蛍光強度・前方散乱光強度を得、スキャッタグラムを作成した。
【００８５】
解析
図１６は、ＨＢｓ抗原含有検体であるＨＢｓ▲４▼に、ＨＢｓ抗原検出用蛍光ラテックス試薬・抗ＴＰ抗体検出用蛍光ラテックス試薬・ＡＦＰ抗原検出用蛍光ラテックス試薬・ＣＥＡ抗原検出用蛍光ラテックス試薬の４種類の蛍光ラテックス試薬を添加して調製した試料を測定して得られた二次元スキャッタグラムであり、縦軸は蛍光強度を、横軸は前方散乱光強度を表わす。蛍光強度の違いから、ＨＢｓ抗原検出用蛍光ラテックス試薬・抗ＴＰ抗体検出用蛍光ラテックス試薬・ＡＦＰ抗原検出用蛍光ラテックス試薬・ＣＥＡ抗原検出用蛍光ラテックス試薬の４種類の蛍光ラテックス試薬の粒子が縦軸方向に分離して現れている。ここでＨＢｓ抗原検出用蛍光ラテックス試薬の単独粒子、二個凝集粒子、三個凝集粒子の集団を含むように領域Ｇ８１を設定し、領域Ｇ８１内の粒子の粒度分布を得る。同様に抗ＴＰ抗体検出用蛍光ラテックス試薬・ＡＦＰ抗原検出用蛍光ラテックス試薬・ＣＥＡ抗原検出用蛍光ラテックス試薬の各蛍光ラテックス試薬に関しても、それぞれ領域Ｇ８２・Ｇ８３・Ｇ８４を設定し、各領域内の粒子のヒストグラムを作成して粒度分布を得た。そこから単独粒子数Ｍと凝集粒子数Ｐ及びその合計Ｔを得、各領域内に出現した粒子の凝集率Ｐ／Ｔを算出した。
【００８６】
図１７は検体Ｓ１に蛍光ラテックス試薬４種類を添加して調製した試料を測定して得られた二次元スキャッタグラムであり、縦軸は蛍光強度を、横軸は前方散乱光強度を表わす。蛍光強度の違いから、ＨＢｓ抗原検出用蛍光ラテックス試薬・抗ＴＰ抗体検出用蛍光ラテックス試薬・ＡＦＰ抗原検出用蛍光ラテックス試薬・ＣＥＡ抗原検出用蛍光ラテックス試薬の４種類の蛍光ラテックス試薬の粒子が縦軸方向に分離して現れ、また各蛍光ラテックス試薬においては前方散乱光強度の違いから未凝集の単独粒子、二個凝集粒子、三個凝集粒子が分離して集団を作り、スキャッタグラム上に出現している。ここでＨＢｓ抗原検出用蛍光ラテックス試薬の単独粒子、二個凝集粒子、三個凝集粒子の集団を含むように領域Ｇ９１を設定し、領域Ｇ９１内の粒子の粒度分布を得る。同様に抗ＴＰ抗体検出用蛍光ラテックス試薬・ＡＦＰ抗原検出用蛍光ラテックス試薬・ＣＥＡ抗原検出用蛍光ラテックス試薬の各蛍光ラテックス試薬に関しても、それぞれ領域Ｇ９２・Ｇ９３・Ｇ９４を設定し、各領域内の粒子のヒストグラムを作成した。
【００８７】
図１８、図１９、図２０、図２１はそれぞれ、領域Ｇ９１・Ｇ９２・Ｇ９３・Ｇ９４に対応するヒストグラムであり、縦軸は度数（粒子数）を、横軸は前方散乱光強度すなわち粒子の大きさを表わす。これらのヒストグラムに基づき各領域内の粒度分布を得た。そこから単独粒子数Ｍと凝集粒子数Ｐ及びその合計Ｔを得、各領域内に出現した粒子の凝集率Ｐ／Ｔを算出した。
【００８８】
検体ＨＢｓ▲１▼〜ＨＢｓ▲７▼から調製した試料を測定して得た各測定項目の蛍光ラテックス試薬の粒子の凝集率（Ｐ／Ｔ）を以下の表５に示す。
【００８９】
【表５】
2004045395.tif 000007
【００９０】
上記測定結果より、ＨＢｓ抗原検出用蛍光ラテックス試薬の粒子の凝集率は検体に含まれるＨＢｓ抗原の濃度に依存して上昇しているが、他の蛍光ラテックス試薬の粒子の凝集率は、検体に含まれるＨＢｓ抗原の濃度にかかわらず変化がないことがわかる。
【００９１】
検体ＴＰ▲１▼〜ＴＰ▲７▼から調製した試料を測定して得た各測定項目の蛍光ラテックス試薬の粒子の凝集率（Ｐ／Ｔ）を、以下の表６に示す。
【００９２】
【表６】
2004045395.tif 000008
【００９３】
上記測定結果より、抗ＴＰ抗体検出用蛍光ラテックス試薬の粒子の凝集率は検体に含まれる抗ＴＰ抗体の濃度に依存して上昇しているが、他の蛍光ラテックス試薬の粒子の凝集率は、検体に含まれる抗ＴＰ抗体の濃度にかかわらず変化がないことがわかる。
【００９４】
検体ＡＦＰ▲１▼〜▲７▼を測定して得た各測定項目の蛍光ラテックス試薬の粒子の凝集率（Ｐ／Ｔ）を、以下の表７に示す。
【００９５】
【表７】
2004045395.tif 000009
【００９６】
上記測定結果より、ＡＦＰ抗原検出用蛍光ラテックス試薬の粒子の凝集率は検体に含まれるＡＦＰ抗原の濃度に依存して上昇しているが、他の蛍光ラテックス試薬の粒子の凝集率は、検体に含まれるＡＦＰ抗原の濃度にかかわらず変化がないことがわかる。
【００９７】
検体ＣＥＡ▲１▼〜▲７▼を測定して得た各測定項目の蛍光ラテックス試薬の粒子の凝集率（Ｐ／Ｔ）を、以下の表８に示す。
【００９８】
【表８】
2004045395.tif 000010
【００９９】
上記測定結果より、ＣＥＡ抗原検出用蛍光ラテックス試薬の粒子の凝集率は検体に含まれるＣＥＡ抗原の濃度に依存して上昇しているが、他の蛍光ラテックス試薬の粒子の凝集率は、検体に含まれるＣＥＡ抗原の濃度にかかわらず変化がないことがわかる。
【０１００】
Ｓ１、Ｓ２を測定して得た各測定項目の蛍光ラテックス試薬の粒子の凝集率（Ｐ／Ｔ）を、以下の表９に示す。
【０１０１】
【表９】
2004045395.tif 000011
【０１０２】
上記測定結果に示す通り、全血を検体として用い、４項目を一つの反応系で同時に反応させて、各項目の凝集率が得られた。
【０１０３】
５．感染症マーカー４項目同時測定
自動免疫測定装置１００を用い、感染症マーカーである４項目（抗ＴＰ抗体、ＨＢｓ抗原、抗ＨＣＶ抗体、抗ＨＩＶ抗体）の免疫測定を行った。検体は以下の通り調製した。
【０１０４】
検体
ランリームＴＰ測定試薬キット（シスメックス株式会社製）に含まれる検量線作成用キャリブレータ（検体希釈液、及び検体希釈液に抗ＴＰ抗体を６段階の濃度別に添加したもの）を用い、抗ＴＰ抗体含有検体系列（ＴＰ▲１▼〜ＴＰ▲７▼）とした。抗ＴＰ抗体含有検体系列における各検体中の抗ＴＰ抗体濃度は以下の通りである。
ＴＰ▲１▼：０ｍＩＵ、ＴＰ▲２▼：１６．５　ｍＩＵ、ＴＰ▲３▼：４１．２ｍＩＵ、ＴＰ▲４▼：１０３．１ｍＩＵ、ＴＰ▲５▼：２５７．６ｍＩＵ、ＴＰ▲６▼：６４４ｍＩＵ、ＴＰ▲７▼：１６１０ｍＩＵ。
【０１０５】
ランリームＨＢｓＡｇ測定試薬キット（シスメックス株式会社製）に含まれる検量線作成用キャリブレータ（検体希釈液、及び検体希釈液にＨＢｓ抗原を６段階の濃度別に添加したもの）を用い、ＨＢｓ抗原含有検体系列（ＨＢｓ▲１▼〜ＨＢｓ▲７▼）とした。ＨＢｓ抗原含有検体系列における各検体中のＨＢｓ抗原濃度は以下の通りである。
ＨＢｓ▲１▼：０Ｕ／ｍＬ、ＨＢｓ▲２▼：１Ｕ／ｍＬ、ＨＢｓ▲３▼：３Ｕ／ｍＬ、ＨＢｓ▲４▼：９Ｕ／ｍＬ、ＨＢｓ▲５▼：２７Ｕ／ｍＬ、ＨＢｓ▲６▼：８１Ｕ／ｍＬ、ＨＢｓ▲７▼：２４３Ｕ／ｍＬ。
【０１０６】
ランリームＨＣＶ　ＩＩ　ｅｘ測定試薬キット（シスメックス株式会社製）に含まれる検量線作成用キャリブレータ（陰性コントロール、カットオフコントロール、陽性コントロールからなり、計３検体である。）を用い、抗ＨＣＶ抗体含有検体系列（ＨＣＶ▲１▼〜ＨＣＶ▲３▼）とした。この抗ＨＣＶ抗体含有検体系列（ＨＣＶ▲１▼〜▲３▼）においては、ＨＣＶ▲３▼が、最も高濃度の抗ＨＣＶ抗体を含有する。ＨＣＶ▲１▼は、抗ＨＣＶ抗体の濃度が０Ｕ／ｍＬである。
【０１０７】
三段階の濃度で抗ＨＩＶ抗体を含有した検体系列として、ＨＩＶ▲１▼〜ＨＩＶ▲３▼を以下の通り調製した。まず、５．０％（ｗ／ｖ）ウシ血清アルブミンを含むＰＢＳ緩衝液（ｐＨ７．２）を調製した。これをＨＩＶ▲１▼とした。次に、抗ＨＩＶウサギ抗血清を前記調製したＰＢＳ緩衝液（＝ＨＩＶ▲１▼）で希釈し、これをＨＩＶ▲３▼とした。またＨＩＶ▲３▼をＨＩＶ▲１▼で１００倍に希釈したものをＨＩＶ▲２▼とした。この抗ＨＩＶ抗体含有検体系列（ＨＩＶ▲１▼〜▲３▼）においては、ＨＩＶ▲３▼が、最も高濃度の抗ＨＩＶ抗体を含有する。ＨＩＶ▲１▼は、抗ＨＩＶ抗体の濃度が０Ｕ／ｍＬである。
【０１０８】
測定
前記調製した感染症マーカー４項目同時測定用蛍光ラテックス試薬の入った試薬容器２２７と、反応緩衝液の入った試薬容器２３１を、自動免疫測定装置１００の試料調製部２００にある試薬セット部２２２にセットした。さらに、検体の入った検体容器２２５を検体セット部２２１にセットし、前記の通り自動免疫測定装置１００を動作させ、各検体を測定した。
【０１０９】
解析結果
図２２、図２３は、ＨＢｓ抗原含有検体であるＨＢｓ▲７▼を測定して得られた二次元スキャッタグラムであり、横軸は前方散乱光強度（Ｆｓｃ）を、縦軸は蛍光強度（Ｆｌ）を表わす。図２２・図２３の各スキャッタグラムは、同じ検体から測定した結果を、縦軸の表示方法を変えて出力したものであり、それぞれ前記図１２に示した自動免疫測定装置１００の表示画面例における二次元スキャッタグラムＳｃ１・Ｓｃ２に相当する。蛍光強度の違いから、抗ＴＰ抗体検出用蛍光ラテックス粒子・ＨＢｓ抗原検出用蛍光ラテックス粒子・抗ＨＣＶ抗体検出用蛍光ラテックス粒子・抗ＨＩＶ抗体検出用蛍光ラテックス粒子、の４種類の蛍光ラテックス粒子が縦軸方向に分離し、それぞれ予め設定された領域内に出現している。抗ＴＰ抗体検出用蛍光ラテックス粒子は領域Ｇ１０１に、ＨＢｓ抗原検出用蛍光ラテックス粒子は領域Ｇ１０２に、抗ＨＣＶ抗体検出用蛍光ラテックス粒子は領域Ｇ１０３に、抗ＨＩＶ抗体検出用蛍光ラテックス粒子は領域Ｇ１０４に、それぞれ出現している。
【０１１０】
図２４、図２５、図２６、図２７はそれぞれ、図２２、図２３の二次元スキャッタグラム中の領域Ｇ１０１・Ｇ１０２・Ｇ１０３・Ｇ１０４に対応するヒストグラムであり、縦軸は度数（粒子数）を、横軸は前方散乱光強度すなわち粒子の大きさを表わす。
【０１１１】
検体ＴＰ▲１▼〜ＴＰ▲７▼から調製した試料を測定して得た各測定項目の
蛍光ラテックス粒子の凝集率（Ｐ／Ｔ）を以下の表１０に示す。
【０１１２】
【表１０】
2004045395.tif 000012
【０１１３】
上記測定結果より、抗ＴＰ抗体検出用蛍光ラテックス粒子の凝集率は検体に含まれる抗ＴＰ抗体の濃度に依存して上昇しているが、他の蛍光ラテックス粒子の凝集率は、検体に含まれる抗ＴＰ抗体の濃度にかかわらず変化がないことがわかる。
【０１１４】
検体ＨＢｓ▲１▼〜ＨＢｓ▲７▼から調製した試料を測定して得た各測定項目の蛍光ラテックス粒子の凝集率（Ｐ／Ｔ）を、以下の表１１に示す。
【０１１５】
【表１１】
2004045395.tif 000013
【０１１６】
上記測定結果より、ＨＢｓ抗原検出用蛍光ラテックス粒子の凝集率は検体に含まれるＨＢｓ抗原の濃度に依存して上昇しているが、他の蛍光ラテックス粒子の凝集率は、検体に含まれるＨＢｓ抗原の濃度にかかわらず変化がないことがわかる。
【０１１７】
検体ＨＣＶ▲１▼〜ＨＣＶ▲３▼を測定して得た各測定項目の蛍光ラテックス粒子の凝集率（Ｐ／Ｔ）を、以下の表１２に示す。
【０１１８】
【表１２】
2004045395.tif 000014
【０１１９】
上記測定結果より、抗ＨＣＶ抗体検出用蛍光ラテックス粒子の凝集率は検体に含まれる抗ＨＣＶ抗体の濃度に依存して上昇しているが、他の蛍光ラテックス粒子の凝集率は、検体に含まれる抗ＨＣＶ抗体の濃度にかかわらず変化がないことがわかる。
【０１２０】
検体ＨＩＶ▲１▼〜ＨＩＶ▲３▼を測定して得た各測定項目の蛍光ラテックス粒子の凝集率（Ｐ／Ｔ）を、以下の表１３に示す。
【０１２１】
【表１３】
2004045395.tif 000015
【０１２２】
上記測定結果より、抗ＨＩＶ抗体検出用蛍光ラテックス粒子の凝集率は検体に含まれる抗ＨＩＶ抗体の濃度に依存して上昇しているが、他の蛍光ラテックス粒子の凝集率は、検体に含まれる抗ＨＩＶ抗体の濃度にかかわらず変化がないことがわかる。
【０１２３】
６．腫瘍マーカー４項目同時測定
自動免疫測定装置１００を用い、腫瘍マーカーである４項目（ＦＲＮ抗原、ＣＥＡ抗原、ＡＦＰ抗原、ＰＳＡ抗原）の免疫測定を行った。検体は以下の通り調製した。
【０１２４】
検体
ランリームＦＲＮ測定試薬キット（シスメックス株式会社製）に含まれる検量線作成用キャリブレータ（検体希釈液、及び検体希釈液にＦＲＮ抗原を６段階の濃度別に添加したもの）を用い、ＦＲＮ抗原含有検体系列（ＦＲＮ▲１▼〜ＦＲＮ▲７▼）とした。このＦＲＮ抗原含有検体系列における各検体中のＦＲＮ抗原濃度は以下の通りである。　ＦＲＮ▲１▼：０ｎｇ／ｍＬ、ＦＲＮ▲２▼：１．２５ｎｇ／ｍＬ、ＦＲＮ▲３▼：５ｎｇ／ｍＬ、ＦＲＮ▲４▼：２０ｎｇ／ｍＬ、ＦＲＮ▲５▼：８０ｎｇ／ｍＬ、ＦＲＮ▲６▼：３２０ｎｇ／ｍＬ、ＦＲＮ▲７▼：１２８０ｎｇ／ｍＬ。
【０１２５】
ランリームＣＥＡ測定試薬キット（シスメックス株式会社製）に含まれる検量線作成用キャリブレータ（検体希釈液、及び検体希釈液にＣＥＡ抗原を６段階の濃度別に添加したもの）を用い、ＣＥＡ抗原含有検体系列（ＣＥＡ▲１▼〜ＣＥＡ▲７▼）とした。このＣＥＡ抗原含有検体系列における各検体中のＣＥＡ抗原濃度は以下の通りである。
ＣＥＡ▲１▼：０ｎｇ／ｍＬ、ＣＥＡ▲２▼：０．５ｎｇ／ｍＬ、ＣＥＡ▲３▼：２ｎｇ／ｍＬ、ＣＥＡ▲４▼：８ｎｇ／ｍＬ、ＣＥＡ▲５▼：３２ｎｇ／ｍＬ、ＣＥＡ▲６▼：１２８ｎｇ／ｍＬ、ＣＥＡ▲７▼：５１２ｎｇ／ｍＬ。
【０１２６】
ランリームＡＦＰ測定試薬キット（シスメックス株式会社製）に含まれる検量線作成用キャリブレータ（検体希釈液、及び検体希釈液にＡＦＰ抗原を６段階の濃度別に添加したもの）を用い、ＡＦＰ抗原含有検体系列（ＡＦＰ▲１▼〜ＡＦＰ▲７▼）とした。このＡＦＰ抗原含有検体系列における各検体中のＡＦＰ抗原濃度は以下の通りである。
ＡＦＰ▲１▼：０ｎｇ／ｍＬ、ＡＦＰ▲２▼：２ｎｇ／ｍＬ、ＡＦＰ▲３▼：８ｎｇ／ｍＬ、ＡＦＰ▲４▼：３２ｎｇ／ｍＬ、ＡＦＰ▲５▼：１２８ｎｇ／ｍＬ、ＡＦＰ▲６▼：５１２ｎｇ／ｍＬ、ＡＦＰ▲７▼：２０４８ｎｇ／ｍＬ。
【０１２７】
ランリームＰＳＡ測定試薬キット（シスメックス株式会社製）に含まれる検量線作成用キャリブレータ（検体希釈液、及び検体希釈液にＰＳＡ抗原を６段階の濃度別に添加したもの）を用い、ＰＳＡ抗原含有検体系列（ＰＳＡ▲１▼〜ＰＳＡ▲７▼）とした。このＰＳＡ抗原含有検体系列における各検体中のＰＳＡ抗原濃度は以下の通りである。
ＰＳＡ▲１▼：０ｎｇ／ｍＬ、ＰＳＡ▲２▼：０．１２５ｎｇ／ｍＬ、ＰＳＡ▲３▼：０．５ｎｇ／ｍＬ、ＰＳＡ▲４▼：２ｎｇ／ｍＬ、ＰＳＡ▲５▼：８ｎｇ／ｍＬ、ＰＳＡ▲６▼：３２ｎｇ／ｍＬ、ＰＳＡ▲７▼：１２８ｎｇ／ｍＬ。
【０１２８】
測定
前記調製した腫瘍マーカー４項目同時測定用蛍光ラテックス試薬の入った試薬容器２２７と反応緩衝液の入った試薬容器２３１を、自動免疫測定装置１００の試料調製部２００にある試薬セット部２２２にセットした。さらに検体の入った検体容器２２５を検体セット部２２１にセットし、前記の通り自動免疫測定装置１００を動作させ、各検体を測定した。
【０１２９】
解析結果
図２８・図２９は、ＡＦＰ含有検体であるＡＦＰ▲７▼を測定して得られた二次元スキャッタグラムであり、横軸は前方散乱光強度（Ｆｓｃ）を、縦軸は蛍光強度（Ｆｌ）を表わす。図２８・図２９の各二次元スキャッタグラムは、同じ検体から測定した結果を、縦軸の表示方法を変えて出力したものであり、それぞれ前記図１２に示した自動免疫測定装置１００の表示画面例における二次元スキャッタグラムＳｃ１・Ｓｃ２に相当する。蛍光強度の違いから、ＦＲＮ抗原検出用蛍光ラテックス粒子・ＣＥＡ抗原検出用蛍光ラテックス粒子・ＡＦＰ抗原検出用蛍光ラテックス粒子・ＰＳＡ抗原検出用蛍光ラテックス粒子、の４種類の蛍光ラテックス粒子が縦軸方向に分離し、それぞれ予め設定された領域内に出現している。ＦＲＮ抗原検出用蛍光ラテックス粒子は領域Ｇ２０１に、ＣＥＡ抗原検出用蛍光ラテックス粒子は領域Ｇ２０２に、ＡＦＰ抗原検出用蛍光ラテックス粒子は領域Ｇ２０３に、ＰＳＡ抗原検出用蛍光ラテックス粒子は領域Ｇ２０４に、それぞれ出現している。
【０１３０】
図３０、図３１、図３２、図３３はそれぞれ、図２６・図２７の二次元スキャッタグラム中の領域Ｇ２０１・Ｇ２０２・Ｇ２０３・Ｇ２０４に対応するヒストグラムであり、縦軸は度数（粒子数）を、横軸は前方散乱光強度すなわち粒子の大きさを表わす。
【０１３１】
検体ＦＲＮ▲１▼〜ＦＲＮ▲７▼から調製した試料を測定して得た各測定項目の蛍光ラテックス粒子の凝集率（Ｐ／Ｔ）を以下の表１４に示す。
【０１３２】
【表１４】
2004045395.tif 000016
【０１３３】
上記測定結果より、ＦＲＮ抗原検出用蛍光ラテックス粒子の凝集率は検体に含まれるＦＲＮ抗原の濃度に依存して上昇しているが、他の蛍光ラテックス粒子の凝集率は、検体に含まれるＦＲＮ抗原の濃度にかかわらず変化がないことがわかる。
【０１３４】
検体ＣＥＡ▲１▼〜ＣＥＡ▲７▼から調製した試料を測定して得た各測定項目の蛍光ラテックス試薬の凝集率（Ｐ／Ｔ）を、以下の表１５に示す。
【０１３５】
【表１５】
2004045395.tif 000017
【０１３６】
上記測定結果より、ＣＥＡ抗原検出用蛍光ラテックス粒子の凝集率は検体に含まれるＣＥＡ抗原の濃度に依存して上昇しているが、他の蛍光ラテックス粒子の凝集率は、検体に含まれるＣＥＡ抗原の濃度にかかわらず変化がないことがわかる。
【０１３７】
検体ＡＦＰ▲１▼〜ＡＦＰ▲７▼を測定して得た各測定項目の蛍光ラテックス粒子の凝集率（Ｐ／Ｔ）を、以下の表１６に示す。
【０１３８】
【表１６】
2004045395.tif 000018
【０１３９】
上記測定結果より、ＡＦＰ抗原検出用蛍光ラテックス粒子の凝集率は検体に含まれるＡＦＰ抗原の濃度に依存して上昇しているが、他の蛍光ラテックス粒子の凝集率は、検体に含まれるＡＦＰ抗原の濃度にかかわらず変化がないことがわかる。
【０１４０】
検体ＰＳＡ▲１▼〜ＰＳＡ▲７▼を測定して得た各測定項目の蛍光ラテックス粒子の凝集率（Ｐ／Ｔ）を、以下の表１７に示す。
【０１４１】
【表１７】
2004045395.tif 000019
【０１４２】
上記測定結果より、ＰＳＡ抗原検出用蛍光ラテックス粒子の凝集率は検体に含まれるＰＳＡ抗原の濃度に依存して上昇しているが、他の蛍光ラテックス試薬の凝集率は、検体に含まれるＰＳＡ抗原の濃度にかかわらず変化がないことがわかる。
【０１４３】
前記の感染症マーカー４項目同時測定では、ＴＰ抗原を感作した蛍光ラテックス粒子・抗ＨＢｓ抗体を感作した蛍光ラテックス粒子・ＨＣＶ抗原を感作した蛍光ラテックス粒子・抗ＨＩＶ抗原を感作した蛍光ラテックス粒子を担体粒子として含む蛍光ラテックス試薬を用い、感染症に関連する複数の項目（抗ＴＰ抗体、ＨＢｓ抗原、抗ＨＣＶ抗体、抗ＨＩＶ抗体）の免疫測定を、一つの検体に対し同時に行った。このように感染症に関連する項目に対応した蛍光ラテックス粒子を複数種類組み合わせることで、感染症マーカーの複数項目同時測定用試薬とすることができる。
【０１４４】
また前記の腫瘍マーカー４項目同時測定では、抗ＦＲＮ抗体を感作した蛍光ラテックス粒子・抗ＣＥＡ抗体を感作した蛍光ラテックス粒子・抗ＡＦＰ抗体を感作した蛍光ラテックス粒子・抗ＰＳＡ抗体を感作した蛍光ラテックス粒子を担体粒子として含む蛍光ラテックス試薬を用い、腫瘍に関連する複数の項目（ＦＲＮ抗原、ＣＥＡ抗原、ＡＦＰ抗原、ＰＳＡ抗原）の免疫測定を、一つの検体に対し同時に行った。このように腫瘍に関連する項目に対応した蛍光ラテックス粒子を複数種類組み合わせることで、腫瘍マーカー関連の複数項目同時測定用試薬とすることができる。
【０１４５】
上記の各４項目同時測定用試薬は、それぞれ感染症、腫瘍に関し複数項目を短時間で測定したい場合に有用である。しかし複数項目の同時測定を行う場合、測定項目の組み合わせは上記に限られる必要は無い。例えば、いわゆる免疫血清検査項目（ＣＲＰ、ＲＦ、ＡＳＯ、ＩｇＧ、ＩｇＡ、ＩｇＭ、ＩｇＥなど）から選択される複数の項目を組み合わせてもよいし、内分泌検査項目（ＴＳＨ、Ｔ４、Ｔ３、ＦＴ４など）から選択される複数の項目を組み合わせてもよい。また血中薬物検査項目（ＰＨＴ、ＰＢ、ＰＲＭ、ＣＢＺ、ＶＰＡなど）から選択される複数の項目を組み合わせてもよい。もちろん、それら検査のカテゴリーに関わらず、同時測定を望む項目を適宜組み合わせてもよい。
【０１４６】
上記感染症マーカー４項目項目同時測定、及び腫瘍マーカー４項目同時測定では、蛍光ラテックス試薬として、複数項目に対応した複数種類の蛍光ラテックス粒子を予め一液中に懸濁させた状態のものを用いた。従来、４項目の測定を行う場合、各項目に応じた測定用試薬をそれぞれ要していたが、本発明の実施例では各項目測定用の蛍光ラテックス試薬を一液で構成している。また反応緩衝液についても、４項目の同時測定を行う際に一種類の反応緩衝液のみを用いている。複数の測定項目毎に蛍光ラテックス試薬や反応緩衝液をそれぞれ用意する必要がないので、自動免疫測定装置において試薬をセットするためのスペースをよりコンパクトにでき、ひいては装置全体の小型化につながる。
【０１４７】
試薬の他の構成としては、測定項目毎の蛍光ラテックス試薬がそれぞれ用意され、検査オーダーに応じて所望の測定項目に応じた蛍光ラテックス試薬を選択し、組み合わせて用いるように構成される。図３４は、図７に示した自動免疫測定装置１００の試料調製部の変形例を示す図である。図３４の試料調製部２００は、複数種類の蛍光ラテックス試薬を組み合わせて複数項目の同時測定を行うことができるよう構成されている。試薬セット部２２２は、第一、第二、第三、第四の蛍光ラテックス試薬がそれぞれ入った試薬容器２７ａ・２７ｂ、２７ｃ、２７ｄをセットできるようになっている。第一から第四の蛍光ラテックス試薬は、それぞれ異なった測定項目に対応するものであり、かつ含有する蛍光ラテックス粒子は互いに異なった濃度の蛍光色素を含んでいる。試薬セット部２２２以外の構成については、図７に説明した構成と同様である。
【０１４８】
この変形例においては、自動免疫測定装置１００は二つの動作モードを選択できるようになっている。動作モードとしては、４項目同時測定モードと単項目測定モードがある。操作者は測定に先立ち、液晶タッチパネル１０１を用いていずれかの動作モードを選択する。４項目同時測定モードを選択した後、スタートスイッチ１０３を押すと、図３４の試料調製部２００は、装置の全体制御におけるステップＳ１（試料調製部制御）において、次のように動作する。
【０１４９】
まず分注装置２２４が、試薬セット部２２２の試薬容器２３１から反応緩衝液を８０μＬ吸引する。次に分注装置２２４は、検体セット部２２１にセットされている検体容器２２５から検体を１０μＬ吸引し、前記吸引した反応緩衝液と検体を、インキュベータ２２３にセットされている反応容器２２６に分注する。次に分注装置２２４は試薬セット部２２２の試薬容器２２７ａから第一の蛍光ラテックス試薬を２．５μＬ吸引して反応容器２２６に分注する。次に分注装置２２４は試薬セット部２２２の試薬容器２２７ｂから第二の蛍光ラテックス試薬を２．５μＬ吸引して反応容器２２６に分注する。分注装置２２４は、第三・第四の蛍光ラテックス試薬についても同様に２．５μＬずつを吸引し、反応容器２２６に分注する。この後インキュベータ２２３が、検体・蛍光ラテックス試薬・反応緩衝液が入った反応容器２２６を、温度４５℃に保ちながら１５分間振盪撹拌することでインキュベートし、検体と試薬を反応させて試料液を調製する。分注装置２２４は、インキュベート後の試料液を吸引し、試料容器２３３に供給する。ここで試料容器２３３には予め希釈液が入っており、分注された試料液が５１倍に希釈される。この後は、前記実施例に説明したのと同様に、光検出部・解析部の制御が行われる。
【０１５０】
測定に先立ち、単項目測定モードを選択した場合、試料調製部２００は次のように制御される。まず分注装置２２４は、上記同様に反応緩衝液と検体を吸引し、反応容器２２６に分注した後、オーダーがあった測定項目の蛍光ラテックス試薬を１０μＬ吸引し、反応容器２２６に分注する。その他の動作については、上記同様に制御される。
【０１５１】
【発明の効果】
本発明により、赤血球、血小板、カイロミクロン、細菌など担体粒子以外の粒子を含む検体や全血検体を用いても、検体中の抗原（又は抗体）を精度良く検出できる。本発明では、担体粒子として、検体中に含まれる担体粒子以外の粒子と大きさがオーバーラップするものを用いても、担体粒子のみを弁別して計数し、凝集度を求めることができ、担体粒子を選択する際、粒子の大きさ上の制限が減少する。本発明では、担体粒子と結合した測定対象物質を標識する標識抗体を用いないため、試薬の種類を少なくすることができる。
【０１５２】
また複数の測定対象物質についての粒子凝集反応をひとつの反応系で行い、それぞれの測定対象物質について同時に精度良く検出できる。そのため、緊急時などに複数の項目の免疫測定を短時間で行うことができる。
【０１５３】
また本発明により、感染症マーカー、腫瘍マーカーなどの複数項目につき、これら複数項目測定用の試薬を一つにすることで、自動免疫測定装置の小型化が可能となる。また測定項目毎の試薬を組み合わせて用いるように構成することで、単項目測定と複数項目同時測定の両方を実施できる。
【０１５４】
【図面の簡単な説明】
【図１】二次元スキャッタグラム上で、担体粒子と検体に含まれる担体粒子以外の粒子が異なる位置に出現した様子を説明する図である。
【図２】二次元スキャッタグラム中に設定された領域内に出現した粒子のヒストグラムを説明する図である。
【図３】二次元スキャッタグラム上で、第一の担体粒子と第二の担体粒子が異なる位置に出現した様子を説明する図である。
【図４】二次元スキャッタグラム中に設定された領域内に出現した粒子のヒストグラムを説明する図である。
【図５】本実施例の自動免疫測定装置の外観を説明する図である。
【図６】本実施例の自動免疫測定装置の内部構成を説明する図である。
【図７】本実施例の自動免疫測定装置の試料調製部を説明する図である。
【図８】本実施例の自動免疫測定装置の光検出部を説明する図である。
【図９】本実施例の自動免疫測定装置の制御部を説明する図である。
【図１０】本実施例の自動免疫測定装置の全体制御を説明する図である。
【図１１】本実施例の自動免疫測定装置の解析部の制御を説明する図である。
【図１２】本実施例の自動免疫測定装置の液晶タッチパネルに表示された画面の一例を示す図である。
【図１３】本実施例で用いたフローサイトメータの構成を示す模式図である。
【図１４】本実施例の二次元スキャッタグラムを説明する図である。
【図１５】本実施例のヒストグラムを説明する図である。
【図１６】本実施例の二次元スキャッタグラムを説明する図である。
【図１７】本実施例の二次元スキャッタグラムを説明する図である。
【図１８】本実施例のヒストグラムを説明する図である。
【図１９】本実施例のヒストグラムを説明する図である。
【図２０】本実施例のヒストグラムを説明する図である。
【図２１】本実施例のヒストグラムを説明する図である。
【図２２】本実施例の二次元スキャッタグラムを説明する図である。
【図２３】本実施例の二次元スキャッタグラムを説明する図である。
【図２４】本実施例のヒストグラムを説明する図である。
【図２５】本実施例のヒストグラムを説明する図である。
【図２６】本実施例のヒストグラムを説明する図である。
【図２７】本実施例のヒストグラムを説明する図である。
【図２８】本実施例の二次元スキャッタグラムを説明する図である。
【図２９】本実施例の二次元スキャッタグラムを説明する図である。
【図３０】本実施例のヒストグラムを説明する図である。
【図３１】本実施例のヒストグラムを説明する図である。
【図３２】本実施例のヒストグラムを説明する図である。
【図３３】本実施例のヒストグラムを説明する図である。
【図３４】図７に示した試料調製部の変形例を説明する図である。
【符号の説明】
１１　担体粒子の単独粒子
１２　担体粒子の二個凝集粒子
１３　担体粒子の三個凝集粒子
１４　カイロミクロン
１５　赤血球
３１　第一の担体粒子の単独粒子
３２　第一の担体粒子の二個凝集粒子
３３　第一の担体粒子の三個凝集粒子
３４　第二の担体粒子の単独粒子
３５　第二の担体粒子の二個凝集粒子
３６　第二の担体粒子の三個凝集粒子
Ｇ１　担体粒子が出現する領域
Ｇ３１　第一の担体粒子が出現する領域
Ｇ３２　第二の担体粒子が出現する領域
１００　自動免疫測定装置
２００　試料調製部
３００　光検出部
４００　制御部
【図１】
2004045395.tif 000020
【図２】
2004045395.tif 000021
【図３】
2004045395.tif 000022
【図４】
2004045395.tif 000023
【図５】
2004045395.tif 000024
【図６】
2004045395.tif 000025
【図７】
2004045395.tif 000026
【図８】
2004045395.tif 000027
【図９】
2004045395.tif 000028
【図１０】
2004045395.tif 000029
【図１１】
2004045395.tif 000030
【図１２】
2004045395.tif 000031
【図１３】
2004045395.tif 000032
【図１４】
2004045395.tif 000033
【図１５】
2004045395.tif 000034
【図１６】
2004045395.tif 000035
【図１７】
2004045395.tif 000036
【図１８】
2004045395.tif 000037
【図１９】
2004045395.tif 000038
【図２０】
2004045395.tif 000039
【図２１】
2004045395.tif 000040
【図２２】
2004045395.tif 000041
【図２３】
2004045395.tif 000042
【図２４】
2004045395.tif 000043
【図２５】
2004045395.tif 000044
【図２６】
2004045395.tif 000045
【図２７】
2004045395.tif 000046
【図２８】
2004045395.tif 000047
【図２９】
2004045395.tif 000048
【図３０】
2004045395.tif 000049
【図３１】
2004045395.tif 000050
【図３２】
2004045395.tif 000051
【図３３】
2004045395.tif 000052
【図３４】
2004045395.tif 000053